(57)【特許請求の範囲】
【請求項１】
右眼用画像と左眼用画像とを表示期間毎に交互に表示可能な電気光学装置であって、
交互に配列された複数の第１走査線および複数の第２走査線からなる複数の走査線と、
前記複数の走査線に交差する複数の信号線と、
前記複数の走査線と前記複数の信号線との各交差に対応して配置された複数の画素と、
右眼用画像の表示期間および左眼用画像の表示期間の各々において、
当該表示期間の第１単位期間では、前記複数の走査線のうち相互に隣り合う前記第１走査線と前記第２走査線とからなる第１組の走査線を選択期間毎に順次に選択し、
前記第１単位期間の経過後の第２単位期間では、前記第１単位期間にて選択される前記第１組の走査線から１本ずれた組合せで相互に隣り合う前記第１走査線と前記第２走査線とからなる第２組の走査線を選択期間毎に順次に選択する第１駆動回路と、
前記複数の画素の各々が表示すべき階調を示す表示データが供給され、
前記選択期間の各々において、前記第１駆動回路が選択する前記第１組の走査線または前記第２組の走査線に対応する画素を行列方向に隣り合う４つ以上の画素をブロックとして、前記第１単位期間において指定するブロックに対して、前記第２単位期間で指定するブロックは、前記走査線が延在する方向及び前記信号線が延在する方向に対して１画素ずれたものであり、前記ブロックに属する４つ以上の画素で表示すべき階調を示す前記表示データに基づいて前記ブロックに属する４つ以上の画素に共通して供給する階調を特定し、特定した階調を示す階調電位を前記複数の信号線に供給する第２駆動回路とを備え、
前記第２駆動回路は、
各々がＪ（Jは３以上の自然数）本の信号線と接続されるＫ（Ｋは３以上の自然数）個の選択回路と、
前記Ｋ個の選択回路の各々に時分割多重された階調電位を示すデータ信号を供給する信号供給回路と、
前記データ信号をデコードして前記複数の信号線に供給するように前記Ｋ個の選択回路を制御する制御回路とを備え、
前記Ｋ個の選択回路のうち隣り合う２つの選択回路の境界に位置する信号線を共通信号線としたとき、前記共通信号線は隣り合う２つの選択回路の両方に接続され、
前記制御回路は、
前記ブロックに属する４つ以上の画素に対応する隣り合う２本の信号線を同時に選択するように前記複数の選択回路を制御し、
前記第１単位期間においては、前記隣り合う２つの選択回路のうち一方の選択回路で前記共通信号線を選択し、且つ、他方の選択回路において前記共通信号線を非選択とし、前記第２単位期間においては、前記他方の選択回路で前記共通信号線を選択し、且つ、前記一方の選択回路において前記共通信号線を非選択とする、
ことを特徴とする電気光学装置。
【請求項２】
前記第２駆動回路は、前記ブロックに属する４つ以上の画素で表示すべき各階調の加重平均を前記表示データに基づいて算出し、算出される階調に応じた階調電位を前記ブロックに属する４つの画素に供給することを特徴とする請求項１に記載の電気光学装置。
【請求項３】
前記ブロックに属する４つ以上の画素で表示すべき各階調のうち最大の階調を最大表示階調、最小の階調を最小表示階調とし、前記最大表示階調と前記最小表示階調との差分を差分階調としたとき、
前記第２駆動回路は、
前記差分階調が所定の閾値よりも大きい場合、前記ブロックに属する４つ以上の画素で表示すべき各階調の加重平均を前記表示データに基づいて算出し、算出される階調に応じた階調電位を前記ブロックに属する４つ以上の画素に供給し、
前記差分階調が前記所定の閾値以下の場合、前記ブロックに属する４つ以上の画素のうち所定位置の画素で表示すべき階調に応じた階調電位を前記ブロックに属する４つの画素に供給する、
ことを特徴とする請求項１に記載の電気光学装置。
【請求項４】
前記加重平均の演算において、各画素の階調に対して付与する重み付け係数は、０よりも大きいことを特徴とする請求項２または３に記載の電気光学装置。
【請求項５】
各画素の階調に対して付与する重み付け係数は、等しい値であることを特徴とする請求項２または３に記載の電気光学装置。
【請求項６】
前記ブロックに属する４つ以上の画素で表示すべき各階調のうち最大の階調を最大表示階調とし、前記ブロックに属する４つ以上の画素で表示すべき各階調のうち最小の階調を最小表示階調とし、前記ブロックに属する４つ以上の画素を含む所定個の画素の各々に対して指定する階調の平均値を平均階調とし、
前記最大表示階調と前記平均階調との差分の絶対値を第1差分階調とし、前記平均階調と前記最小表示階調との差分の絶対値を第２差分階調としたとき、
前記第２駆動回路は、
前記第１差分階調が前記第２差分階調より大きい場合、前記最大表示階調に対応する画素の重み付け係数を他の画素の重み付け係数よりも大きくし、
前記第２差分階調が前記第１差分階調より大きい場合、前記最小表示階調に対応する画素の重み付け係数を他の画素の重み付け係数よりも大きくすることを特徴とする
請求項２に記載の電気光学装置。
【請求項７】
前記ブロックに属する４つ以上の画素で表示すべき各階調の平均値を第１平均階調とし、前記ブロックに属する４つ以上の画素を含む所定個の画素の各々に対して指定する階調の平均値を第２平均階調としたとき、
前記第２駆動回路は、前記第１単位期間と前記第２単位期間の各々において、前記ブロックに属する４つ以上の画素で表示すべき各階調及び前記第２平均階調に基づいて階調制御係数を定め、前記階調制御係数と前記第１平均階調とを乗じて得られた階調に応じた階調電位を前記ブロックに属する４つ以上の画素に供給することを特徴とする請求項１に記載の電気光学装置。
【請求項８】
前記ブロックに属する４つ以上の画素で表示すべき各階調のうち最大の階調を最大表示階調、最小の階調を最小表示階調としたとき、
前記第２駆動回路は、
前記最大表示階調と前記第２平均階調との差分の絶対値が、前記第２平均階調と前記最小表示階調との差分の絶対値よりも大きい場合、前記階調制御係数を１よりも大きい値に設定し、
前記最大表示階調と前記第２平均階調との差分の絶対値が、前記第２平均階調と前記最小表示階調との差分の絶対値よりも小さい場合、前記階調制御係数を０より大きく１よりも小さい値に設定することを特徴とする
請求項７に記載の電気光学装置。
【請求項９】
前記ブロックに属する画素は４つであり、前記所定個の画素は、前記ブロックに属する４つの画素と、当該ブロックを取り囲む１２個の画素とを含むことを特徴とする
請求項６乃至８のうちいずれか１項に記載の電気光学装置。
【請求項１０】
前記右眼用画像の表示期間と前記左眼用画像の表示期間との各々は、前記第１単位期間と前記第２単位期間とからなり、
前記第２駆動回路は、
相前後する前記右眼用画像の表示期間と前記左眼用画像の表示期間とを含む複数の制御期間の各々において、
前記複数の制御期間のうちの第１制御期間では、
前記各表示期間の前記第１単位期間において、基準電位に対する前記階調電位の極性を正極性または負極性のうち一方の極性となるように設定するとともに、前記各表示期間の前記第２単位期間おいて、前記階調電位の極性を他方の極性となるように設定し、
前記複数の制御期間のうち前記第１制御期間の直後の第２制御期間では、
前記各表示期間の前記第１単位期間において、前記階調電位の極性を他方の極性となるように設定するとともに、前記各表示期間の前記第２単位期間において、前記階調電位の極性を一方の極性となるように設定する
ことを特徴とする、
請求項１乃至９のうちいずれか１項に記載の電気光学装置。
【請求項１１】
右眼用シャッターと左眼用シャッターとを含む立体視用眼鏡で立体視される右眼用画像および左眼用画像を表示する電気光学装置であって、
前記各表示期間のうち前記第１単位期間の少なくとも一部を含む期間にて前記右眼用シャッターおよび前記左眼用シャッターの双方を閉状態に制御し、
前記右眼用画像の各表示期間における前記第２単位期間の少なくとも一部を含む期間にて前記右眼用シャッターを開状態に制御するとともに前記左眼用シャッターを閉状態に制御し、
前記左眼用画像の各表示期間における前記第２単位期間の少なくとも一部を含む期間にて前記左眼用シャッターを開状態に制御するとともに前記右眼用シャッターを閉状態に制御する眼鏡制御回路を具備する、ことを特徴とする請求項１乃至１０のうちいずれか１項に記載の電気光学装置。
【請求項１２】
前記右眼用画像の表示期間と前記左眼用画像の表示期間との各々は、前記第１単位期間、前記第２単位期間、前記第１単位期間、および前記第２単位期間からなり、
前記第２駆動回路は、
前記各表示期間の最初の第１単位期間において、基準電位に対する前記階調電位の極性が正極性または負極性のうち一方の極性となるように設定し、
前記各表示期間の最初の第２単位期間において、前記階調電位の極性が他方の極性となるように設定し、
前記各表示期間の最後の第１単位期間において、前記階調電位の極性が他方の極性となるように設定し、
前記各表示期間の最後の第２単位期間において、前記階調電位の極性が一方の極性となるように設定することを特徴とする
請求項１乃至９のうちいずれか１項に記載の電気光学装置。
【請求項１３】
右眼用シャッターと左眼用シャッターとを含む立体視用眼鏡で立体視される右眼用画像および左眼用画像を表示する電気光学装置であって、
前記各表示期間のうち前記最初の第１単位期間の少なくとも一部を含む期間にて前記右眼用シャッターおよび前記左眼用シャッターの双方を閉状態に制御し、
前記右眼用画像の各表示期間における前記最初の第２単位期間の開始から前記最後の第２単位期間の終了までの少なくとも一部を含む期間にて前記右眼用シャッターを開状態に制御するとともに前記左眼用シャッターを閉状態に制御し、
前記左眼用画像の各表示期間における前記最初の第２単位期間の開始から前記最後の第２単位期間の終了までの少なくとも一部を含む期間にて前記左眼用シャッターを開状態に制御するとともに前記右眼用シャッターを閉状態に制御する眼鏡制御回路と、
を具備することを特徴とする
請求項１２に記載の電気光学装置。
【請求項１４】
請求項１乃至１３のうちいずれか１項に記載の電気光学装置を具備する電子機器。
【発明の詳細な説明】
【技術分野】
【０００１】
本発明は、観察者が立体感を知覚するように相互に視差が付与された右眼用画像と左眼用画像とを表示する技術に関連する。
【背景技術】
【０００２】
右眼用画像と左眼用画像とを時分割で交互に表示するフレームシーケンシャル方式の立体視方法が従来から提案されている。右眼用画像および左眼用画像の一方が他方に変化する期間では右眼用画像と左眼用画像とが混在するから、観察者が画像を視認すると明確な立体感を認識することが困難となる（クロストーク）。以上の問題を解決するために、例えば特許文献１には、右眼用画像および左眼用画像の一方が他方に変化する期間（すなわち右眼用画像と左眼用画像とが混在する期間）において立体視用眼鏡の右眼用シャッターおよび左眼用シャッターの双方を閉状態として観察者に画像を視認させない技術が開示されている。
【０００３】
具体的には、図２０に示すように、右眼用画像に対応する右眼用期間と左眼用画像に対応する左眼用期間とが交互に設定される。右眼用期間の前半期間では表示画像が左眼用画像から右眼用画像に更新されるとともに後半期間では右眼用画像が表示され、左眼用期間の前半期間では表示画像が右眼用画像から左眼用画像に更新されるとともに後半期間では左眼用画像が表示される。右眼用期間および左眼用期間の各々の前半期間では、右眼用シャッターおよび左眼用シャッターの双方が閉状態に制御される。したがって、右眼用画像と左眼用画像との混在（クロストーク）は観察者に知覚されない。
【先行技術文献】
【特許文献】
【０００４】
【特許文献１】特開２００９−２５４３６号公報
【発明の概要】
【発明が解決しようとする課題】
【０００５】
しかし、特許文献１のような右眼用画像および左眼用画像を交互に表示する立体視（３Ｄ）表示では、画像表示のフレーム周波数を平面視（２Ｄ）表示の２倍以上となるように画像信号の転送速度や駆動回路の動作速度を高速化する必要があるため、駆動回路の回路規模や製造コストが増大するという問題がある。
以上の事情を考慮して、本発明は、右眼用画像と左眼用画像との混在が観察者に知覚されることを抑制しながら、動作速度の高速化を必要とせずに立体視表示を実現することを目的とする。
【課題を解決するための手段】
【０００６】
以上の課題を解決するために、本発明の電気光学装置は、右眼用画像と左眼用画像とを表示期間毎に交互に表示可能なものであって、交互に配列された複数の第１走査線および複数の第２走査線からなる複数の走査線と、前記複数の走査線に交差する複数の信号線と、  前記複数の走査線と前記複数の信号線との各交差に対応して配置された複数の画素と、右眼用画像の表示期間および左眼用画像の表示期間の各々において、当該表示期間の第１単位期間では、前記複数の走査線のうち相互に隣り合う前記第１走査線と前記第２走査線とからなる第１組の走査線を選択期間毎に順次に選択し、前記第１単位期間の経過後の第２単位期間では、前記第１単位期間にて選択される前記第１組の走査線から１本ずれた組合せで相互に隣り合う前記第１走査線と前記第２走査線とからなる第２組の走査線を選択期間毎に順次に選択する第１駆動回路と、前記複数の画素の各々が表示すべき階調を示す表示データが供給され、前記選択期間の各々において、前記第１駆動回路が選択する前記第１組の走査線または前記第２組の走査線に対応する画素を行列方向に隣り合う４つ以上の画素をブロックとして、前記第１単位期間において指定するブロックに対して、前記第２単位期間で指定するブロックは、前記走査線が延在する方向及び前記信号線が延在する方向に対して１画素ずれたものであり、前記ブロックに属する４つ以上の画素で表示すべき階調を示す前記表示データに基づいて前記ブロックに属する４つ以上の画素に共通して供給する階調を特定し、特定した階調を示す階調電位を前記複数の信号線に供給する第２駆動回路とを備え、前記第２駆動回路は、各々がＪ（Jは３以上の自然数）本の信号線と接続されるＫ（Ｋは３以上の自然数）個の選択回路と、前記Ｋ個の選択回路の各々に時分割多重された階調電位を示すデータ信号を供給する信号供給回路と、前記データ信号をデコードして前記複数の信号線に供給するように前記Ｋ個の選択回路を制御する制御回路とを備え、前記Ｋ個の選択回路のうち隣り合う２つの選択回路の境界に位置する信号線を共通信号線としたとき、前記共通信号線は隣り合う２つの選択回路の両方に接続され、前記制御回路は、前記ブロックに属する４つの画素に対応する隣り合う２本の信号線を同時に選択するように前記複数の選択回路を制御し、前記第１単位期間においては、前記隣り合う２つの選択回路のうち一方の選択回路で前記共通信号線を選択し、且つ、他方の選択回路において前記共通信号線を非選択とし、前記第２単位期間においては、前記他方の選択回路で前記共通信号線を選択し、且つ、前記一方の選択回路において前記共通信号線を非選択とする、ことを特徴とする。
【０００７】
以上の構成においては、互いに隣り合う２本の走査線を同時に選択し、互いに隣り合う４つの画素（ブロック）に対して共通の階調電位を供給する。したがって、各表示期間にて走査線を１本ずつ順次に選択して各画素に階調電位を供給する構成と比較して、右眼用画像と左眼用画像とが混在する期間が短縮される。これにより、右眼用画像と左眼用画像とが混在する期間内で立体視用眼鏡の右眼用シャッターおよび左眼用シャッターの双方を閉状態に制御することで右眼用画像と左眼用画像との混在が観察者に知覚されることを抑制する場合でも、表示画像の明度を向上させることが可能である。また、右眼用画像および左眼用画像の画像信号の転送速度や駆動回路（走査線駆動回路および信号線駆動回路）の動作速度を平面視（２Ｄ）表示と比較して高速化する必要がない。これにより、例えば平面視画像に使用される駆動回路と同等の動作速度の駆動回路で立体視表示を実現できる（すなわち、駆動回路の回路規模や製造コストを低減できる）という利点がある。
なお、第１単位期間および第２単位期間の各々の終了時では表示画像の解像度が低下するが、第２単位期間では、第１単位期間において表示された画像が、第２単位期間において表示される画像に順次更新されるため、各単位期間における表示画像の解像度の低下が観察者に知覚され難いという利点もある。
さらに、第１単位期間と第２単位期間において、同一の階調電位を供給するブロックは１画素ずれたもとなっているので、解像度の低下を抑制できる。くわえて、Ｊ本の信号線に階調電位を分配する選択回路を設けたので、信号供給回路の構成を簡素化できる。さらに、信号供給回路をパネルの外部に設ける場合に、接続端子数を減らすことができる。くわえて、隣り合う選択回路の境界に位置する共通信号線を両方の選択回路に接続し、第１単位期間と第２単位期間とで、共通信号線を選択する選択回路を切り替えた。これにより、選択回路を用いて時分割多重された階調電位を信号線に分配する方式であっても、第１単位期間と第２単位期間とで、ブロックを走査線が延在する方向に１画素ずらすことが可能となる。
【０００８】
また、上述した電気光学装置において、前記第２駆動回路は、前記ブロックに属する４つ以上の画素で表示すべき各階調の加重平均を前記表示データに基づいて算出し、算出される階調に応じた階調電位を前記ブロックに属する４つの画素に供給することが好ましい。
この発明によれば、表示データが指定する階調を加重平均しない場合と比較して、ある画素が第１単位期間において指定される階調と第２単位期間において指定される階調との差異を小さくすることができる。すなわち、ある画素が第１単位期間において指定される階調と第２単位期間において指定される階調との差異を、観察者が「ちらつき」として知覚する可能性を低減させることが可能となるという利点がある。
【０００９】
また、上述した電気光学装置において、前記ブロックに属する４つ以上の画素で表示すべき各階調のうち最大の階調を最大表示階調、最小の階調を最小表示階調とし、前記最大表示階調と前記最小表示階調との差分を差分階調としたとき、前記第２駆動回路は、前記差分階調が所定の閾値よりも大きい場合、前記ブロックに属する４つ以上の画素で表示すべき各階調の加重平均を前記表示データに基づいて算出し、算出される階調に応じた階調電位を前記ブロックに属する４つ以上の画素に供給し、前記差分階調が前記所定の閾値以下の場合、前記ブロックに属する４つ以上の画素のうち所定位置の画素で表示すべき階調に応じた階調電位を前記ブロックに属する４つの画素に供給することが好ましい。
この発明によれば、ブロックに属する４つの画素で表示すべき各階調のうち最大の階調と最小の階調との差分が所定の閾値よりも大きい場合に、表示データが当該４つの画素の各々に指定する階調の加重平均として算出される階調に応じた階調電位を、当該４つの画素に供給する。これにより、各画素が第１単位期間において指定される階調と第２単位期間において指定される階調との差異に起因する「ちらつき」を抑制することができるという利点がある。
【００１０】
また、上述した電気光学装置は、前記加重平均の演算において、各画素の階調に対して付与する重み付け係数は、０よりも大きいことを特徴とすることが好ましい。
この発明によれば、ブロックに属する４つの画素に対して、表示データが当該４つの画素の各々に指定する階調の加重平均として算出される階調に応じた階調電位を供給するため、画素が表示する階調の変化に起因する「ちらつき」を抑制することができる。
【００１１】
また、上述した電気光学装置において、各画素の階調に対して付与する重み付け係数は、等しい値であることを特徴とすることが好ましい。
この発明によれば、ブロックに属する４つの画素に対して、表示データが当該４つの画素の各々に指定する階調の単純平均として算出される階調に応じた階調電位を供給するため、画素が表示する階調の変化に起因する「ちらつき」を抑制するための構成を簡素化することが可能となるという利点がある。
【００１２】
また、上述した電気光学装置において、前記ブロックに属する４つ以上の画素で表示すべき各階調のうち最大の階調を最大表示階調とし、前記ブロックに属する４つ以上の画素で表示すべき各階調のうち最小の階調を最小表示階調とし、前記ブロックに属する４つ以上の画素を含む所定個の画素の各々に対して指定する階調の平均値を平均階調とし、前記最大表示階調と前記平均階調との差分の絶対値を第1差分階調とし、前記平均階調と前記最小表示階調との差分の絶対値を第２差分階調としたとき、前記第２駆動回路は、前記第１差分階調が前記第２差分階調より大きい場合、前記最大表示階調に対応する画素の重み付け係数を他の画素の重み付け係数よりも大きくし、前記第２差分階調が前記第１差分階調より大きい場合、前記最小表示階調に対応する画素の重み付け係数を他の画素の重み付け係数よりも大きくすることが好ましい。
この発明によれば、ブロックに属する４つ以上の画素が表示する階調を、当該４つの画素に対して表示データが指定する階調と、当該４つ以上の画素を含む所定個の画素に対して表示データが指定する階調との関係に基づいて制御する。これにより、表示データが示す画像に近い鮮明な画像を表示することが可能となる。
【００１３】
また、上述した電気光学装置は、前記ブロックに属する４つ以上の画素で表示すべき各階調の平均値を第１平均階調とし、前記ブロックに属する４つ以上の画素を含む所定個の画素の各々に対して指定する階調の平均値を第２平均階調としたとき、前記第２駆動回路は、前記第１単位期間と前記第２単位期間の各々において、前記ブロックに属する４つ以上の画素で表示すべき各階調及び前記第２平均階調に基づいて階調制御係数を定め、前記階調制御係数と前記第１平均階調とを乗じて得られた階調に応じた階調電位を前記ブロックに属する４つ以上の画素に供給することが好ましい。
この発明によれば、ブロックに属する４つ以上の画素が表示する階調を、当該４つ以上の画素に対して表示データが指定する階調と、当該４つ以上の画素を含む所定個の画素に対して表示データが指定する階調との関係に基づいて定められる階調制御係数により制御する。これにより、表示データが示す画像に近い鮮明な画像を表示することが可能となる。
【００１４】
また、上述した電気光学装置において、前記ブロックに属する４つ以上の画素で表示すべき各階調のうち最大の階調を最大表示階調、最小の階調を最小表示階調としたとき、前記第２駆動回路は、前記最大表示階調と前記第２平均階調との差分の絶対値が、前記第２平均階調と前記最小表示階調との差分の絶対値よりも大きい場合、前記階調制御係数を１よりも大きい値に設定し、前記最大表示階調と前記第２平均階調との差分の絶対値が、前記第２平均階調と前記最小表示階調との差分の絶対値よりも小さい場合、前記階調制御係数を０より大きく１よりも小さい値に設定することが好ましい。
この発明によれば、ブロックに属する４つ以上の画素が表示する階調と、当該４つの画素の周囲に存在する複数の画素に対して表示データが指定する階調との差異が大きくなるように階調制御係数を定める。これにより、表示データが示す画像に近い鮮明な画像を表示することが可能となる。
【００１５】
また、上述した電気光学装置において、前記ブロックに属する画素は４つであり、前記所定個の画素は、前記ブロックに属する４つの画素と、当該ブロックを取り囲む１２個の画素とを含むことが好ましい。
この発明によれば、表示データが示す画像に近い鮮明な画像を表示することが可能となる。
【００１６】
また、上述した電気光学装置において、前記右眼用画像の表示期間と前記左眼用画像の表示期間との各々は、前記第１単位期間と前記第２単位期間とからなり、前記第２駆動回路は、相前後する前記右眼用画像の表示期間と前記左眼用画像の表示期間とを含む複数の制御期間の各々において、前記複数の制御期間のうちの第１制御期間では、前記各表示期間の前記第１単位期間において、基準電位に対する前記階調電位の極性を正極性または負極性のうち一方の極性となるように設定するとともに、前記各表示期間の前記第２単位期間おいて、前記階調電位の極性を他方の極性となるように設定し、前記複数の制御期間のうち前記第１制御期間の直後の第２制御期間では、前記各表示期間の前記第１単位期間において、前記階調電位の極性を他方の極性となるように設定するとともに、前記各表示期間の前記第２単位期間において、前記階調電位の極性を一方の極性となるように設定することが好ましい。
この発明によれば、右眼用画像または左眼用画像の指定階調に応じた階調電位が正極性に設定される時間長と負極性に設定される時間長とが均等化されるから、画素に対する直流電圧の印加を抑制できるという利点がある。具体的には、画素が液晶素子を含む場合には、基準電位を共通電極の電位とすることで、液晶素子に対する直流成分の印加を抑制できるため、液晶素子の劣化を抑制できるという利点がある。
【００１７】
また、上述した電気光学装置において、右眼用シャッターと左眼用シャッターとを含む立体視用眼鏡で立体視される右眼用画像および左眼用画像を表示するものであって、前記各表示期間のうち前記第１単位期間の少なくとも一部を含む期間にて前記右眼用シャッターおよび前記左眼用シャッターの双方を閉状態に制御し、前記右眼用画像の各表示期間における前記第２単位期間の少なくとも一部を含む期間にて前記右眼用シャッターを開状態に制御するとともに前記左眼用シャッターを閉状態に制御し、前記左眼用画像の各表示期間における前記第２単位期間の少なくとも一部を含む期間にて前記左眼用シャッターを開状態に制御するとともに前記右眼用シャッターを閉状態に制御する眼鏡制御回路を具備することが好ましい。
この発明によれば、右眼用画像と左眼用画像とが混在する期間内で立体視用眼鏡の右眼用シャッターおよび左眼用シャッターの双方を閉状態に制御することで右眼用画像と左眼用画像との混在が観察者に知覚されることを抑制することができる。
【００１８】
また、上述した電気光学装置において、前記右眼用画像の表示期間と前記左眼用画像の表示期間との各々は、前記第１単位期間、前記第２単位期間、前記第１単位期間、および前記第２単位期間からなり、前記第２駆動回路は、前記各表示期間の最初の第１単位期間において、基準電位に対する前記階調電位の極性が正極性または負極性のうち一方の極性となるように設定し、前記各表示期間の最初の第２単位期間において、前記階調電位の極性が他方の極性となるように設定し、前記各表示期間の最後の第１単位期間において、前記階調電位の極性が他方の極性となるように設定し、前記各表示期間の最後の第２単位期間において、前記階調電位の極性が一方の極性となるように設定することを特徴とすることが好ましい。
この発明によれば、右眼用画像または左眼用画像の指定階調に応じた階調電位が正極性に設定される時間長と負極性に設定される時間長とが均等化されるから、画素に対する直流電圧の印加を抑制できるという利点がある。
【００１９】
また、上述した電気光学装置において、右眼用シャッターと左眼用シャッターとを含む立体視用眼鏡で立体視される右眼用画像および左眼用画像を表示するものであって、前記各表示期間のうち前記最初の第１単位期間の少なくとも一部を含む期間にて前記右眼用シャッターおよび前記左眼用シャッターの双方を閉状態に制御し、前記右眼用画像の各表示期間における前記最初の第２単位期間の開始から前記最後の第２単位期間の終了までの少なくとも一部を含む期間にて前記右眼用シャッターを開状態に制御するとともに前記左眼用シャッターを閉状態に制御し、前記左眼用画像の各表示期間における前記最初の第２単位期間の開始から前記最後の第２単位期間の終了までの少なくとも一部を含む期間にて前記左眼用シャッターを開状態に制御するとともに前記右眼用シャッターを閉状態に制御する眼鏡制御回路と、を具備することが好ましい。
この発明によれば、各表示期間を構成する４つの単位期間のうち、最初の第１単位期間において、立体視用眼鏡の右眼用シャッターおよび左眼用シャッターの双方を閉状態に制御することで右眼用画像と左眼用画像との混在が観察者に知覚されることを抑制することができる。また、各表示期間のうち、最初の第２単位期間の開始から前記最後の第２単位期間の終了までの少なくとも一部を含む期間において、右眼用シャッターまたは左眼用シャッターを開状態に制御するため、表示画像の明度を向上させることが可能である。
【００２０】
以上の各態様に係る電気光学装置は表示体として各種の電子機器に採用される。例えば、以上の各態様に係る電気光学装置と、眼鏡制御回路が制御する立体視用眼鏡とを具備する立体視表示装置が、本発明の電子機器として例示される。
【図面の簡単な説明】
【００２１】
【図１】本発明の第１実施形態に係る立体視表示装置のブロック図である。
【図２】画素回路の回路図である。
【図３】立体視表示装置の動作の説明図である。
【図４】走査線駆動回路の動作の説明図である。
【図５】各単位期間において指定されるブロックを表す説明図である。
【図６】表示データと立体表示装置が表示する階調とを表した説明図である。
【図７】観察者が知覚する階調を表した説明図である。
【図８】信号線駆動回路の構成を示すブロック図である。
【図９】信号線駆動回路の動作を説明するためのタイミングチャートである。
【図１０】選択回路の動作を模式的に示す説明図である。
【図１１】信号線駆動回路の動作を説明するためのタイミングチャートである。
【図１２】対比例１の動作の説明図である。
【図１３】対比例１に係る立体表示装置に供給される表示データと表示する階調とを表した説明図である。
【図１４】第２実施形態の動作の説明図である。
【図１５】変形例６に係る加重平均を説明する説明図である。
【図１６】変形例６に係る立体表示装置が表示する階調と観察者が知覚する階調とを表した説明図である。
【図１７】電子機器（投射型表示装置）の斜視図である。
【図１８】電子機器（パーソナルコンピュータ）の斜視図である。
【図１９】電子機器（携帯電話機）の斜視図である。
【図２０】従来の技術における立体視動動作の説明図である。
【発明を実施するための形態】
【００２２】
＜第１実施形態＞
図１は、本発明の第１実施形態に係る表示装置１００のブロック図である。表示装置１００は、観察者に立体感を知覚させる立体視画像をアクティブシャッター方式で表示する電子機器であり、電気光学装置１０と立体視用眼鏡２０とを具備する。また、この表示装置１００は平面視表示も可能であり、手動又は自動で表示態様を切り替えることが可能である。平面視表示の場合、利用者は立体視用眼鏡２０を使用せずに電気光学装置１０を直接見ることになる。以下の説明においては  平面視表示の表示態様を２Ｄ表示モードと称し、立体視表示の表示態様を３Ｄ表示モードと称する。３Ｄ表示モードにおいて、電気光学装置１０は、相互に視差が付与された右眼用画像ＧRと左眼用画像ＧLとを時分割で交互に表示する。
【００２３】
立体視用眼鏡２０は、電気光学装置１０が表示する立体視画像の視認時に観察者が装着する眼鏡型の器具であり、観察者の右眼の前方に位置する右眼用シャッター２２と左眼の前方に位置する左眼用シャッター２４とを具備する。右眼用シャッター２２および左眼用シャッター２４の各々は、照射光を透過させる開状態（透過状態）と照射光を遮断する閉状態（遮光状態）とに制御される。例えば印加電圧に応じて液晶の配向方向を変化させることで開状態および閉状態の一方から他方に変化する液晶シャッターが右眼用シャッター２２および左眼用シャッター２４として採用され得る。
【００２４】
図１の電気光学装置１０は、電気光学パネル１２と制御回路１４とを具備する。電気光学パネル１２は、複数の画素（画素回路）ＰIXが配列された画素部３０と、各画素ＰIXを駆動する駆動回路４０とを含む。画素部３０には、ｘ方向に延在するＭ本の走査線３２と、ｘ方向に交差するｙ方向に延在するＮ本の信号線３４とが形成される（ＭおよびＮは自然数）。画素部３０内の複数の画素ＰIXは、走査線３２と信号線３４との各交差に対応して縦Ｍ行×横Ｎ列の行列状に配列される。
【００２５】
駆動回路４０は、走査線駆動回路４２と信号線駆動回路４４とを具備する。走査線駆動回路４２は、各走査線３２に対応する走査信号Ｙ[1]〜Ｙ[M]の供給で各走査線３２を順次に選択する。走査信号Ｙ[m]（ｍ＝１〜Ｍ）が所定の選択電位に設定されることで第ｍ行の走査線３２が選択される。信号線駆動回路４４は、走査線駆動回路４２による走査線３２の選択に同期してＮ本の信号線３４の各々に階調電位Ｘ[1]〜Ｘ[N]を供給する。階調電位Ｘ[n]（ｎ＝１〜Ｎ）は、画像信号Ｇ（右眼用画像ＧR、左眼用画像ＧL）が各画素ＰIXに指定する階調に応じて可変に設定される。所定の基準電位に対する階調電位Ｘ[n]の極性は周期的に反転する。
【００２６】
図２は、各画素ＰIXの回路図である。図２に示すように、各画素ＰIXは、液晶素子ＣLと選択スイッチＳWとを含む。液晶素子ＣLは、相互に対向する画素電極６２および共通電極６４と両電極間の液晶６６とで構成された電気光学素子である。画素電極６２と共通電極６４との間の印加電圧に応じて液晶６６の透過率（表示階調）が変化する。選択スイッチＳWは、走査線３２にゲートが接続されたＮチャネル型の薄膜トランジスターで構成され、液晶素子ＣLと信号線３４との間に介在して両者の電気的な接続（導通／絶縁）を制御する。走査信号Ｙ[m]が選択電位に設定されることで第ｍ行の各画素ＰIXにおける選択スイッチＳWが同時にオン状態に遷移する。各画素ＰIX（液晶素子ＣL）は、選択スイッチＳWがオン状態に制御されたとき（すなわち走査線３２の選択時）の信号線３４の階調電位Ｘ[n]に応じた階調を表示する。なお、液晶素子ＣLに並列に補助容量を接続した構成も採用され得る。
【００２７】
図１の制御回路１４は、電気光学パネル１２を制御する表示制御回路１４２と、立体視用眼鏡２０を制御する眼鏡制御回路１４４を具備する。なお、表示制御回路１４２と眼鏡制御回路１４４とを単体の集積回路に搭載した構成や、表示制御回路１４２と眼鏡制御回路１４４とを別体の集積回路に分散した構成が採用され得る。
表示制御回路１４２には、各画素ＰIXの階調を指定する表示データＶ（右眼用表示データＶR，左眼用表示データＶL）が、外部回路から供給される。表示制御回路１４２は、表示データＶに基づいて画像信号Ｇ（右眼用画像ＧR，左眼用画像ＧL）を生成すると共に、信号線駆動回路４４を制御する制御信号Ｓ１〜Ｓ５を生成する。
また、表示制御回路１４２は、相互に視差が付与された右眼用画像ＧRと左眼用画像ＧLとが時分割で画素部３０に表示されるように駆動回路４０を制御する。具体的には、表示制御回路１４２は、駆動回路４０が以下の動作を実行するように駆動回路４０を制御する。
【００２８】
図３は、電気光学装置１０の動作の説明図である。電気光学装置１０の動作期間は、複数の制御期間Ｔ（Ｔ1，Ｔ2）に区分される。制御期間Ｔ1と制御期間Ｔ2とは時間軸上で交互に配列する。各制御期間Ｔ（Ｔ1，Ｔ2）は、所定長の２個の表示期間Ｐ（右眼用表示期間ＰRおよび左眼用表示期間ＰL）に区分される。右眼用表示期間ＰRでは画素部３０に右眼用画像ＧRが表示され、左眼用表示期間ＰLでは画素部３０に左眼用画像ＧLが表示される。右眼用表示期間ＰRと左眼用表示期間ＰLとは時間軸上で交互に配列する。すなわち、相前後する２個の表示期間Ｐ（右眼用表示期間ＰRと左眼用表示期間ＰLとの組）で１個の制御期間Ｔ（Ｔ1，Ｔ2）が構成される。各表示期間Ｐ（ＰR，ＰL）は、相等しい時間長の２個の単位期間Ｕ（Ｕ1，Ｕ2）に区分される。単位期間Ｕ2は単位期間Ｕ1に後続する。
【００２９】
図４に、３Ｄ表示モードにおける各表示期間Ｐ（ＰR，ＰL）での走査線駆動回路４２（第１駆動回路）の動作のを示す。同図に示すように、各表示期間Ｐの単位期間Ｕ1では、走査線駆動回路４２は、Ｍ本の走査線３２を相互に隣り合う２本ずつ区分した複数の組（以下「第１組」という）の各々を選択期間Ｈ毎に順次に選択する。第１組は、偶数行（第(2p)行）の１本の走査線３２と、その走査線３２に対してｙ方向の負側に隣り合う奇数行（第(2p-1)行）の１本の走査線３２とで構成される（pは自然数）。
【００３０】
走査線駆動回路４２は、単位期間Ｕ1内の１個の選択期間Ｈにて走査信号Ｙ[2p-1]および走査信号Ｙ[2p]を選択電位に設定することで第１組の２本の走査線３２を同時に選択する。例えば、単位期間Ｕ1内の第１番目の選択期間Ｈでは第１行および第２行の２本の走査線３２が同時に選択され、単位期間Ｕ1内の第２番目の選択期間Ｈでは第３行および第４行の２本の走査線３２が同時に選択される。
【００３１】
各表示期間Ｐの単位期間Ｕ2では、走査線駆動回路４２は、第１組とは異なる組合せでＭ本の走査線３２を相互に隣り合う２本ずつ区分した複数の組（以下「第２組」という）の各々を選択期間Ｈ毎に順次に選択する。第２組は、偶数行（第(2p)行）の１本の走査線３２と、その走査線３２に対してｙ方向の正側に隣り合う奇数行（第(2p+1)行）の１本の走査線３２とで構成される。すなわち、第１組と第２組とは、走査線３２の１本分だけｙ方向にずれた関係にある。
【００３２】
走査線駆動回路４２は、単位期間Ｕ2内の１個の選択期間Ｈにて走査信号Ｙ[2p]および走査信号Ｙ[2p+1]を選択電位に設定することで第２組の２本の走査線３２を同時に選択する。例えば、単位期間Ｕ2内の第１番目の選択期間Ｈでは第２行および第３行の２本の走査線３２が同時に選択され、単位期間Ｕ2内の第２番目の選択期間Ｈでは第４行および第５行の２本の走査線３２が同時に選択される。第１実施形態での説明では便宜的に、単位期間Ｕ2内で第１行目および第Ｍ行目の走査線３２が選択されない場合を例示するが、単位期間Ｕ2にて第１行目および第Ｍ行目の走査線３２を選択することも可能である。
なお、以下において、奇数行の各走査線３２を第１走査線と称し、偶数行の各走査線３２を第２走査線と称する場合がある。
次に、２Ｄ表示モードにおいては、図４に示すように表示期間Ｐの各選択期間Ｈにおいて、走査線３２を１本ずつ順次選択する。この結果、表示期間Ｐごとに第１行から第Ｍ行の走査線３２が選択され、１画面の走査が完了する。
【００３３】
３Ｄ表示モードにおいて、信号線駆動回路４４は、右眼用表示期間ＰR内の各選択期間Ｈにおいて、右眼用画像ＧRの画像信号に応じた階調電位Ｘ[1]〜Ｘ[N]を、Ｎ本の信号線３４にそれぞれ供給し、左眼用表示期間ＰL内の各選択期間Ｈにおいて、左眼用画像ＧLの画像信号に応じた階調電位Ｘ[1]〜Ｘ[N]を、Ｎ本の信号線３４にそれぞれ供給する。すなわち、表示制御回路１４２および信号線駆動回路４４は、外部回路から供給される表示データＶに基づいて画像信号Ｇを生成し、画像信号Ｇに応じた階調電位Ｘ[n]を各信号線３４に供給する、第２駆動回路として機能する。
なお、詳細は後述するが、単位期間Ｕ1において階調電位Ｘ[2q]と、階調電位Ｘ[2q-1]とは等しい電位に設定され、これらは、第(2q-1)列の信号線３４と、第(2q)列の信号線３４とに同時に供給される。すなわち、信号線駆動回路４４は、単位期間Ｕ1において、奇数列（第(2q-1)列）の１本の信号線３４と、偶数列（第(2q)列）の１本の信号線３４とに対して、共通の階調電位Ｘ[2q-1]を同時に供給する（ｑは自然数）。また、信号線駆動回路４４、単位期間Ｕ2において、偶数列（第(2q)列）の１本の信号線３４と、奇数列（第(2q+1)列）の１本の信号線３４とに対して、共通の階調電位Ｘ[2q]を同時に供給する。
また、２Ｄ表示モードにおいて、信号線駆動回路４４は、表示期間Ｐ内の各選択期間Ｈにおいて、画像信号Ｇに応じた階調電位Ｘ[1]〜Ｘ[N]を、Ｎ本の信号線３４にそれぞれ供給する。
以下において、奇数列の各信号線３４を第１信号線と称し、偶数列の各信号線３４を第２信号線と称する場合がある。
【００３４】
図３には、３Ｄ表示モードにおいて、所定の基準電位（例えば共通電極６４の電位）に対する各階調電位Ｘ[n]の極性（書込極性）の時間変化が図示されている。階調電位Ｘ[n]は液晶素子ＣLの画素電極６２に供給されるから、図３に例示された極性は、液晶素子ＣLに対する印加電圧の極性と同視され得る。
【００３５】
図３に示すように、信号線駆動回路４４は、各制御期間Ｔ内で単位期間Ｕ（Ｕ1，Ｕ2）毎に階調電位Ｘ[n]の極性を反転させ、かつ、相前後する各制御期間Ｔでは各単位期間Ｕでの階調電位Ｘ[n]を逆極性に設定する。具体的には、制御期間Ｔ1では、階調電位Ｘ[n]の極性は、各表示期間Ｐ（ＰR，ＰL）の単位期間Ｕ1にて正極性(+)に設定されるとともに各表示期間Ｐの単位期間Ｕ2にて負極性(-)に設定される。他方、制御期間Ｔ1の直後の制御期間Ｔ2では、階調電位Ｘ[n]の極性は、各表示期間Ｐ（ＰR，ＰL）の単位期間Ｕ1にて負極性(-)に設定されるとともに各表示期間Ｐの単位期間Ｕ2にて正極性(+)に設定される。
一方、２Ｄ表示モードにおいては、表示期間Ｐごとに階調電位Ｘ[n]の極性を反転させている。
【００３６】
以下、３Ｄ表示モードにおける表示データＶ（右眼用表示データＶR，左眼用表示データＶL）、画像信号Ｇ（右眼用画像ＧR，左眼用画像ＧL）、および階調電位Ｘ[n]との関係を説明する。
なお、以下の説明では、表示データＶのうち右眼用表示データＶRが第ｍ行第ｎ列の画素ＰIXに指定する階調を階調ＶR[m][n]と表し、表示データＶのうち左眼用表示データＶLが第ｍ行第ｎ列の画素ＰIXに指定する階調を階調ＶL[m][n]と表す。また、右眼用画像ＧRの画像信号Ｇが第ｍ行第ｎ列の画素ＰIXに指定する階調を階調ＧR[m][n]と表し、左眼用画像ＧLの画像信号Ｇが第ｍ行第ｎ列の画素ＰIXに指定する階調を階調ＧL[m][n]と表す。
【００３７】
各制御期間Ｔ（Ｔ1，Ｔ2）内の右眼用表示期間ＰRの単位期間Ｕ1のうち、第１組を構成する第(2p-1)行および第(2p)行の２本の走査線３２が選択される選択期間Ｈにおいて、右眼用画像ＧRが第(2p-1)行第(2q-1)列の画素ＰIXに指定する階調ＧR[2p-1][2q-1]は、
右眼用表示データＶRが第(2p-1)行第(2q-1)列の画素ＰIXに指定する階調ＶR[2p-1][2q-1]、第(2p)行第(2q-1)列の画素ＰIXに指定する階調ＶR[2p][2q-1]、第(2p-1)行第(2q)列の画素ＰIXに指定する階調ＶR[2p-1][2q]、および、第(2p)行第(2q)列の画素ＰIXに指定する階調ＶR[2p][2q]の加重平均として算出される。
【００３８】
より具体的には、階調ＧR[2p-1][2q-1]は、以下の式（１）により決定される。
ＧR[2p-1][2q-1]
＝｛（ｗ2p-1，2q-1×ＶR[2p-1][2q-1]）＋（ｗ2p，2q-1×ＶR[2p][2q-1]）
＋（ｗ2p-1，2q×ＶR[2p-1][2q]）＋（ｗ2p，2q×ＶR[2p][2q]）｝
÷｛ｗ2p-1，2q-1＋ｗ2p，2q-1＋ｗ2p-1，2q＋ｗ2p，2q｝      …  式（１）
ここで、式（１）に現れる４つの重み付け係数ｗｍ,ｎは、「０」よりも大きな実数である。なお、式（１）の右辺の演算結果が整数とならない場合、階調ＧR[2p-1][2q-1]は、式（１）の右辺の演算結果に対して、小数点以下を四捨五入または切り捨て等の演算を更に実行することで算出すればよい。本実施形態では、４つの重み付け係数ｗｍ,ｎの各々は、等しい値、例えば「１」に設定される。すなわち、本実施形態では、階調ＧR[2p-1][2q-1]は、以下の式（２）に示すように、表示データＶが当該４個の画素ＰIXの各々に指定する階調ＶRの単純平均（相加平均）として算出される。
ＧR[2p-1][2q-1]
＝｛ＶR[2p-1][2q-1]＋ＶR[2p][2q-1]
＋ＶR[2p-1][2q]＋ＶR[2p][2q]｝／４      …  式（２）
【００３９】
上述の通り、信号線駆動回路４４は、階調ＧR[2p-1][2q-1]に応じた階調電位Ｘ[2q-1]を第(2q-1)列および第(2q)列の２本の信号線３４に対して共通に供給する。従って、第(2p-1)行第(2q-1)列、第(2p-1)行第(2q)列、第(2p)行第(2q-1)列、および、第(2p)行第(2q)列に位置する、互いに隣り合う４個の画素ＰIXには、階調ＧR[2p-1][2q-1]に応じた階調電位Ｘが共通に供給される。
このように、図５（Ａ）に示す通り、右眼用表示期間ＰRの単位期間Ｕ1では、奇数行奇数列の画素ＰIXを「基準画素」とし、基準画素、当該基準画素とｘ方向の正側に隣り合う奇数行偶数列の画素ＰIX、当該基準画素とｙ方向の正側に隣り合う偶数行奇数列の画素ＰIX、および、当該基準画素をｘ方向正側およびｙ方向正側に１画素ずつずらした偶数行偶数列の画素ＰIXからなる４個の画素ＰIXを「ブロック」として、当該ブロックに属する４個の画素ＰIXに対して、右眼用画像ＧRの画像信号Ｇが基準画素に指定する階調に応じた階調電位Ｘが、共通に供給される。なお、第ｍ行第ｎ列の画素ＰIXを基準画素とするブロックを、以下では、ブロックＢL[m][n]と表す。
例えば、図３の部分(Ｒ1)に示すように、単位期間Ｕ1内の第１番目の選択期間Ｈでは、階調ＧR[1][2q-1]に応じた階調電位Ｘが、ブロックＢL[1][2q-1]（第１行の奇数列を基準画素とするブロックＢL）に属する４個の画素ＰIXに共通に供給される。また、単位期間Ｕ1内の第２番目の選択期間Ｈでは、階調ＧR[3][2q-1]に応じた階調電位Ｘが、ブロックＢL[1][2q-1]（第３行の奇数列を基準画素とするブロックＢL）に属する４個の画素ＰIXに共通に供給される。
【００４０】
以上のように単位期間Ｕ1では、縦Ｍ行×横Ｎ列に配置された複数の画素ＰIXのうち、奇数行奇数列に位置する複数の画素ＰIXの各々を基準画素として、当該複数の基準画素の各々に対応する複数のブロックＢLが指定される。そして、単位期間Ｕ1において指定される各ブロックＢLに属する４個の画素ＰIXの各々に対して共通の階調電位Ｘが供給される。従って、右眼用表示期間ＰRの単位期間Ｕ1が終了する時点では、表示データＶが示す本来表示すべき画像に対して、ｘ方向の解像度を半分に低下させ、且つ、ｙ方向の解像度を半分に低下させた右眼用画像ＧRが画素部３０に表示される。
【００４１】
各制御期間Ｔ（Ｔ1，Ｔ2）内の右眼用表示期間ＰRの単位期間Ｕ2では、右眼用表示期間ＰRの単位期間Ｕ1において指定されたブロックＢLに対して、ｘ方向およびｙ方向に対して１画素ずつずれた４個の画素ＰIXが、ブロックＢLとして指定される。そして、単位期間Ｕ2において指定されたブロックＢLに属する４個の画素ＰIXに対して、共通の階調に応じた階調電位Ｘが供給される。
より具体的には、各制御期間Ｔ（Ｔ1，Ｔ2）内の右眼用表示期間ＰRの単位期間Ｕ2のうち、第２組を構成する第(2p)行および第(2p+1)行の２本の走査線３２が選択される選択期間Ｈにおいて、右眼用画像ＧRが第(2p)行第(2q)列の画素ＰIXに指定する階調ＧR[2p][2q]（すなわち、右眼用画像ＧRがブロックＢL[2p][2q]に属する４個の画素ＰIXに対して指定する階調ＧR[2p-1][2q-1]）は、右眼用表示データＶRが第(2p)行第(2q)列の画素ＰIXに指定する階調ＶR[2p][2q]、第(2p+1)行第(2q)列の画素ＰIXに指定する階調ＶR[2p+1][2q]、第(2p)行第(2q+1)列の画素ＰIXに指定する階調ＶR[2p][2q+1]、および、第(2p+1)行第(2q+1)列の画素ＰIXに指定する階調ＶR[2p+1][2q+1]の加重平均として、以下の式（３）により定められる。
ＧR[2p][2q]
＝｛（ｗ2p，2q×ＶR[2p][2q]）＋（ｗ2p+1，2q×ＶR[2p+1][2q]）
＋（ｗ2p，2q+1×ＶR[2p][2q+1]）＋（ｗ2p+1，2q+1×ＶR[2p+1][2q+1]）｝
÷｛ｗ2p，2q＋ｗ2p+1，2q＋ｗ2p，2q+1＋ｗ2p+1，2q+1｝      …  式（３）
ここで、式（３）に現れる４つの重み付け係数ｗは、「０」よりも大きな実数である。本実施形態では、４つの重み付け係数ｗの各々は、等しい値、例えば「１」に設定される。すなわち、本実施形態では、階調ＧR[2p][2q]は、以下の式（４）に示すように、表示データＶがブロックＢL[2p][2q]に属する４個の画素ＰIXの各々に指定する階調ＶRの単純平均（相加平均）として算出される。
ＧR[2p][2q]
＝｛ＶR[2p][2q]＋ＶR[2p+1][2q]
＋ＶR[2p][2q+1]＋ＶR[2p+1][2q+1]｝／４      …  式（４）
上述の通り、信号線駆動回路４４は、階調ＧR[2p][2q]に応じた階調電位Ｘ[2q]を第(2q)列および第(2q+1)列の２本の信号線３４に対して共通に供給する。従って、ブロックＢL[2p][2q]に属し、第(2p)行第(2q)列、第(2p+1)行第(2q)列、第(2p)行第(2q+1)列、および、第(2p+1)行第(2q+1)列に位置する、互いに隣り合う４個の画素ＰIXには、階調ＧR[2p][2q]に応じた階調電位Ｘが共通に供給される。例えば、図３の部分(Ｒ2)に示すように、単位期間Ｕ2内の第１番目の選択期間Ｈでは、階調ＧR[2][2q]に応じた階調電位Ｘが、ブロックＢL[2][2q]（第２行の偶数列を基準画素とするブロックＢL）に属する４個の画素ＰIXに共通に供給される。また、単位期間Ｕ2内の第２番目の選択期間Ｈでは、階調ＧR[4][2q]に応じた階調電位Ｘが、ブロックＢL[4][2q]（第４行の奇数列を基準画素とするブロックＢL）に属する４個の画素ＰIXに共通に供給される。
以上のように右眼用表示期間ＰRの単位期間Ｕ2では、縦Ｍ行×横Ｎ列に配置された複数の画素ＰIXのうち、偶数行偶数列に位置する複数の画素ＰIXの各々を基準画素として、当該複数の基準画素の各々に対応する複数のブロックＢLが指定される。そして、単位期間Ｕ2において指定される各ブロックＢLに属する４個の画素ＰIXの各々に対して共通の階調電位Ｘが供給される。従って、右眼用表示期間ＰRの単位期間Ｕ2が終了する時点では、表示データＶが示す本来表示すべき画像に対して、ｘ方向の解像度を半分に低下させ、且つ、ｙ方向の解像度を半分に低下させた右眼用画像ＧRが画素部３０に表示される。
【００４２】
各制御期間Ｔ（Ｔ1，Ｔ2）の左眼用表示期間ＰLでは右眼用表示期間ＰR内と同様の動作が実行される。
まず、左眼用表示期間ＰLの単位期間Ｕ1では、右眼用表示期間ＰRの単位期間Ｕ1と同様に、奇数行奇数列に位置する画素ＰIXを基準画素としたブロックＢLが指定される（図５（Ａ））。そして、当該ブロックＢLに属する４個の画素ＰIXに対して、共通の階調電位Ｘが供給される。具体的には、各制御期間Ｔ（Ｔ1，Ｔ2）内の左眼用表示期間ＰLの単位期間Ｕ1のうち、第１組を構成する第(2p-1)行および第(2p)行の２本の走査線３２が選択される選択期間Ｈにおいて、左眼用画像ＧLがブロックＢL[2p-1][2q-1]に属する４個の画素ＰIXに対して指定する階調ＧL[2p-1][2q-1]は、左眼用表示データＶLが示す階調ＶL[2p-1][2q-1]、階調ＶL[2p][2q-1]、階調ＶL[2p-1][2q]、および階調ＶL[2p][2q]の加重平均として、以下の式（５）により決定される。
ＧL[2p-1][2q-1]
＝｛（ｗ2p-1，2q-1×ＶL[2p-1][2q-1]）＋（ｗ2p，2q-1×ＶL[2p][2q-1]）
＋（ｗ2p-1，2q×ＶL[2p-1][2q]）＋（ｗ2p，2q×ＶL[2p][2q]）｝
÷｛ｗ2p-1，2q-1＋ｗ2p，2q-1＋ｗ2p-1，2q＋ｗ2p，2q｝      …  式（５）
ここで、式（５）に現れる４つの重み付け係数ｗは、「０」よりも大きな実数である。本実施形態では、４つの重み付け係数ｗの各々は、等しい値、例えば「１」に設定される。すなわち、本実施形態では、階調ＧL[2p-1][2q-1]は、以下の式（６）に示すように、表示データＶがブロックＢL[2p-1][2q-1]に属する４個の画素ＰIXの各々に指定する階調ＶLの単純平均（相加平均）として算出される。
ＧL[2p-1][2q-1]
＝｛ＶL[2p-1][2q-1]＋ＶL[2p][2q-1]
＋ＶL[2p-1][2q]＋ＶL[2p][2q]｝／４      …  式（６）
このように、ブロックＢL[2p-1][2q-1]に属し、第(2p-1)行第(2q-1)列、第(2p-1)行第(2q)列、第(2p)行第(2q-1)列、および、第(2p)行第(2q)列に位置する、互いに隣り合う４個の画素ＰIXには、階調ＧL[2p-1][2q-1]に応じた階調電位Ｘが共通に供給される。
すなわち、左眼用表示期間ＰLの単位期間Ｕ1では、縦Ｍ行×横Ｎ列に配置された複数の画素ＰIXのうち、奇数行奇数列に位置する複数の画素ＰIXの各々を基準画素として、当該複数の基準画素の各々に対応する複数のブロックＢLが指定される。そして、単位期間Ｕ1において指定される各ブロックＢLに属する４個の画素ＰIXの各々に対して共通の階調電位Ｘが供給される。従って、左眼用表示期間ＰLの単位期間Ｕ1が終了する時点では、表示データＶが示す本来表示すべき画像に対して、ｘ方向の解像度を半分に低下させ、且つ、ｙ方向の解像度を半分に低下させた左眼用画像ＧLが画素部３０に表示される。
【００４３】
左眼用表示期間ＰLの単位期間Ｕ2では、右眼用表示期間ＰRの単位期間Ｕ2と同様に、偶数行偶数列に位置する画素ＰIXを基準画素としたブロックＢLが指定される（図５（Ｂ））。すなわち、左眼用表示期間ＰLの単位期間Ｕ2では、左眼用表示期間ＰLの単位期間Ｕ1で指定されたブロックＢLに対して、ｘ方向およびｙ方向に対して１画素ずつずれた４個の画素ＰIXが、ブロックＢLとして指定される。そして、当該ブロックＢLに属する４個の画素ＰIXに対して、共通の階調電位Ｘが供給される。具体的には、各制御期間Ｔ（Ｔ1，Ｔ2）内の左眼用表示期間ＰLの単位期間Ｕ2のうち、第２組を構成する第(2p)行および第(2p+1)行の２本の走査線３２が選択される選択期間Ｈにおいて、左眼用画像ＧLがブロックＢL[2p][2q]に属する４個の画素ＰIXに対して指定する階調ＧL[2p][2q]は、左眼用表示データＶLが示す階調ＶL[2p][2q]、階調ＶL[2p+1][2q]、階調ＶL[2p][2q+1]、および階調ＶL[2p+1][2q+1]の加重平均として、以下の式（７）により決定される。
ＧL[2p][2q]
＝｛（ｗ2p，2q×ＶL[2p][2q]）＋（ｗ2p+1，2q×ＶL[2p+1][2q]）
＋（ｗ2p，2q+1×ＶL[2p][2q+1]）＋（ｗ2p+1，2q+1×ＶL[2p+1][2q+1]）｝
÷｛ｗ2p，2q＋ｗ2p+1，2q＋ｗ2p，2q+1＋ｗ2p+1，2q+1｝      …  式（７）
ここで、式（７）に現れる４つの重み付け係数ｗは、「０」よりも大きな実数である。本実施形態では、４つの重み付け係数ｗの各々は、等しい値、例えば「１」に設定される。すなわち、本実施形態では、階調ＧL[2p][2q]は、以下の式（８）に示すように、表示データＶがブロックＢL[2p][2q]に属する４個の画素ＰIXの各々に指定する階調ＶLの単純平均（相加平均）として算出される。
ＧL[2p][2q]
＝｛ＶL[2p][2q]＋ＶL[2p+1][2q]
＋ＶL[2p][2q+1]＋ＶL[2p+1][2q+1]｝／４      …  式（８）
このように、ブロックＢL[2p][2q]に属し、第(2p)行第(2q)列、第(2p+1)行第(2q)列、第(2p)行第(2q+1)列、および、第(2p+1)行第(2q+1)列に位置する、互いに隣り合う４個の画素ＰIXには、階調ＧL[2p][2q]に応じた階調電位Ｘが共通に供給される。すなわち、左眼用表示期間ＰLの単位期間Ｕ2では、縦Ｍ行×横Ｎ列に配置された複数の画素ＰIXのうち、偶数行偶数列に位置する複数の画素ＰIXの各々を基準画素として、当該複数の基準画素の各々に対応する複数のブロックＢLが指定される。そして、単位期間Ｕ2において指定される各ブロックＢLに属する４個の画素ＰIXの各々に対して共通の階調電位Ｘが供給される。従って、左眼用表示期間ＰLの単位期間Ｕ2が終了する時点では、表示データＶが示す本来表示すべき画像に対して、ｘ方向の解像度を半分に低下させ、且つ、ｙ方向の解像度を半分に低下させた左眼用画像ＧLが画素部３０に表示される。
【００４４】
なお、各単位期間Ｕにて第Ｍ行および第１行を選択する構成では、例えば第１行および第Ｍ行が選択される選択期間Ｈにて所定電位（例えば中間調に対応する電位）の階調電位Ｘ[n]が各信号線３４に供給される。
【００４５】
このように、第１実施形態では、各単位期間Ｕ（Ｕ1，Ｕ2）において指定されるブロックに属する４個の画素ＰIXに対して、共通の階調電位Ｘが供給される。なお、以下では、各画素ＰIXについて、各表示期間Ｐ（右眼用表示期間ＰRおよび左眼用表示期間ＰL）の単位期間Ｕ1において画像信号Ｇ（右眼用画像ＧR，左眼用画像ＧL）が指定する階調を第１設定階調と称し、単位期間Ｕ2において画像信号Ｇ（右眼用画像ＧR，左眼用画像ＧL）が指定する階調を第２設定階調と称する場合がある。
【００４６】
以上の説明から理解されるように、右眼用表示期間ＰRの単位期間Ｕ1では、直前の左眼用表示期間ＰLで表示された左眼用画像ＧLが第１組毎（２行毎）に順次に右眼用画像ＧRに更新され、左眼用表示期間ＰLの単位期間Ｕ1では、直前の右眼用表示期間ＰRで表示された右眼用画像ＧRが第１組毎に順次に左眼用画像ＧLに更新される。すなわち、各表示期間Ｐの単位期間Ｕ1では右眼用画像ＧRと左眼用画像ＧLとが混在する。
【００４７】
図１の制御回路１４の眼鏡制御回路１４４は、立体視用眼鏡２０の右眼用シャッター２２および左眼用シャッター２４の各々の状態（開状態／閉状態）を電気光学パネル１２の動作に同期して制御する。具体的には、眼鏡制御回路１４４は、図３に示すように、各表示期間Ｐ（ＰR，ＰL）の単位期間Ｕ1にて右眼用シャッター２２および左眼用シャッター２４の双方を閉状態に制御する。また、眼鏡制御回路１４４は、右眼用表示期間ＰRの単位期間Ｕ2にて右眼用シャッター２２を開状態に制御するとともに左眼用シャッター２４を閉状態に制御し、左眼用表示期間ＰLの単位期間Ｕ2にて左眼用シャッター２４を開状態に制御するとともに右眼用シャッター２２を閉状態に制御する。
【００４８】
したがって、右眼用表示期間ＰRの単位期間Ｕ2で表示される右眼用画像ＧRは右眼用シャッター２２を透過して観察者の右眼に到達するとともに左眼用シャッター２４で遮断される。他方、左眼用表示期間ＰLの単位期間Ｕ2で表示される左眼用画像ＧLは左眼用シャッター２４を透過して観察者の左眼に到達するとともに右眼用シャッター２２で遮断される。右眼用シャッター２２を透過した右眼用画像ＧRを右眼で視認するとともに左眼用シャッター２４を透過した左眼用画像ＧLを左眼で視認することで、観察者は表示画像に立体感を知覚する。
【００４９】
前述の通り各表示期間Ｐの単位期間Ｕ1では右眼用画像ＧRと左眼用画像ＧLとが混在するが、図３を参照して説明した通り、各表示期間Ｐの単位期間Ｕ1では右眼用シャッター２２および左眼用シャッター２４の双方が閉状態に維持されるから、右眼用画像ＧRと左眼用画像ＧLとの混在（クロストーク）は観察者に知覚されない。すなわち、右眼用画像ＧRと左眼用画像ＧLとが確実に右眼および左眼に分離されるから、観察者に明確な立体感を知覚させることが可能である。
【００５０】
なお、各表示期間Ｐの単位期間Ｕ1および単位期間Ｕ2の各々では、表示データＶが示す本来の表示画像のｘ方向およびｙ方向の解像度を各々半減させた画像（右眼用画像ＧR，左眼用画像ＧL）が表示される。
しかし、右眼用表示期間ＰR内の単位期間Ｕ1にて、階調ＧR[2p-1][2q-1]に応じて第１組毎に表示された右眼用画像ＧRが、直後の単位期間Ｕ2では、階調ＧR[2p][2q]に応じて第２組毎に表示される画像に順次に更新される。すなわち、右眼用表示期間ＰR内の単位期間Ｕ2では、単位期間Ｕ1にて表示された右眼用画像ＧRと、単位期間Ｕ2にて表示される右眼用画像ＧRとが混在する。左眼用表示期間ＰLにおいても同様である。したがって、各単位期間Ｕにおける表示画像の解像度の低下が観察者に知覚され難いという利点がある。
【００５１】
ここで、図６および図７を参照しつつ、単位期間Ｕ1において表示された画像と単位期間Ｕ2おいて表示される画像とが混在したときに、観察者が実際に知覚する画像について説明する。なお、図６および図７は、説明の便宜上、縦Ｍ行×横Ｎ列の行列状に配列された複数の画素ＰIXのうち、第１行〜第８行の縦８行と、第１列〜第８列の横８列の、６４個の画素ＰIXを例示的に示している。
【００５２】
図６は、外部回路から供給される表示データＶと、表示制御回路１４２が生成する画像信号Ｇとの関係を表す説明図である。なお、以下では、表示制御回路１４２に右眼用表示データＶRが供給され、表示制御回路１４２が右眼用画像ＧRの画像信号Ｇを出力する場合を例示して説明するが、以下の説明は、表示制御回路１４２に左眼用表示データＶLが供給され、表示制御回路１４２が左眼用画像ＧLの画像信号Ｇを出力する場合であっても同様に該当する。
図６（Ａ）は、外部回路から供給される表示データＶ（右眼用表示データＶR）が各画素ＰIXに指定する階調ＶR[m][n]の大きさを、濃淡で表した説明図である。この例では、表示データＶが指定する階調が最大階調である場合、当該画素ＰIXを白色で表し、最小階調である場合、当該画素ＰIXを黒色で表し、最大階調と最小階調との中間階調である場合、当該画素ＰIXを白色と黒色との中間色（例えば灰色）で表す。この例において、右眼用表示データＶRは、階調ＶR[6][3]、ＶR[5][4]、ＶR[4][5]、ＶR[3][6]が最小階調（図において黒色で表す）に設定されるとともに、これら４つ以外の階調ＶRが最大階調（図において白色で表す）に設定される。
【００５３】
図６（Ｂ）は、図６（Ａ）に示す右眼用表示データＶRが外部回路より供給されたときに、単位期間Ｕ1において右眼用画像ＧRの画像信号Ｇが各画素ＰIXに指定する階調（第１設定階調）の大きさを表し、図６（Ｃ）は、単位期間Ｕ2において右眼用画像ＧRの画像信号Ｇが各画素ＰIXに指定する階調（第２設定階調）の大きさを表した説明図である。なお、図６（Ｂ）および（Ｃ）においても、図６（Ａ）と同様に、画像信号Ｇが各画素ＰIXに指定する階調の大きさを、濃淡で表している。
【００５４】
図６（Ｂ）に示すように、単位期間Ｕ1において、第５行第３列の画素ＰIXを基準画素とするブロックＢL[5][3]に属する４個の画素ＰIXに対して右眼用画像ＧRが指定する階調ＧR[5][3]は、最小階調である階調ＶR[5][4]、ＶR[6][3]と、最大階調である階調ＶR[5][3]、ＶR[4][4]との平均であるため、中間階調（図において灰色）となる。同様に、ブロックＢL[3][5]に属する４個の画素ＰIXに対して右眼用画像ＧRが指定する階調ＧR[3][5]も、中間階調（図において灰色）となる。また、その他のブロック（ＢL[1][1]、ＢL[1][3]、ＢL[1][5]、ＢL[1][7]、ＢL[3][1]、ＢL[3][3]、ＢL[3][7]、ＢL[5][1]、ＢL[5][5]、ＢL[5][7]、ＢL[7][1]、ＢL[7][3]、ＢL[7][5]、ＢL[7][7]）に対して、右眼用画像ＧRは最大階調を指定する。
図６（Ｃ）に示すように、単位期間Ｕ2において、ブロックＢL[4][4]に属する４個の画素ＰIXに対して右眼用画像ＧRが指定する階調ＧR[4][4]は、最小階調である階調ＶR[5][4]、ＶR[4][5]と、最大階調である階調ＶR[4][4]、ＶR[5][5]との平均であるため、
中間階調（図において灰色）となる。また、ブロックＢL[6][2]に属する４個の画素ＰIXに対して右眼用画像ＧRが指定する階調ＧR[6][2]は、最小階調である階調ＶR[6][3]、
最大階調である階調ＶR[6][2]、ＶR[7][2]、ＶR[7][3]の平均であるため、中間階調と最大階調との間の階調（図において灰色と白色の中間色）となる。同様に、ブロックＢL[2][6]に属する４個の画素ＰIXに対して右眼用画像ＧRが指定する階調ＧR[2][6]も、中間階調と最大階調との間の階調（図において灰色と白色の中間色）となる。なお、図６（Ｃ）に示すように、右眼用画像ＧRは、その他のブロックに対して最大階調を指定する。
【００５５】
観察者は、単位期間Ｕ2において、単位期間Ｕ1において表示された右眼用画像ＧRと、単位期間Ｕ2において表示された右眼用画像ＧRとが混在した画像を知覚する。
図７は、図６（Ａ）に示す表示データＶが外部回路より供給された場合に、単位期間Ｕ2において観察者が実際に知覚する階調を表した説明図である。例えば、第６行第４列に位置する画素ＰIXは、図６（Ｂ）に示すように、単位期間Ｕ1において中間階調（図において灰色）である階調ＧR[5][3]（第１設定階調）に応じた階調電位Ｘ[n]が供給され、図６（Ｃ）に示すように、単位期間Ｕ2において最大階調（図において灰色）である階調ＧR[6][4]（第２設定階調）に応じた階調電位Ｘ[n]が供給される。従って、第６行第４列に位置する画素ＰIXは、図７に示すように、中間階調と最大階調との間の階調（図において灰色と白色の中間色）を表示するものとして、観察者に知覚される。
【００５６】
なお、厳密には、観察者が知覚する画素ＰIXの階調は、当該画素ＰIXに指定される第１設定階調および第２設定階調の他に、当該画素ＰIXの画素部３０における位置に基づいて定められる。
具体的には、第ｍ行に位置する画素ＰIXが単位期間Ｕ1において指定された第１設定階調を表示する期間と単位期間Ｕ2とが重複する期間（すなわち、単位期間Ｕ2のうち、当該画素ＰIXが第１設定階調を表示する期間）の時間長を時間長ｓ1[m]とし、当該画素ＰIXが単位期間Ｕ2において指定された第２設定階調を表示する期間と単位期間Ｕ2とが重複する期間（すなわち、単位期間Ｕ2のうち、当該画素ＰIXが第２設定階調を表示する期間）の時間長を時間長ｓ2[m]とする。このとき、当該画素ＰIXは、時間長ｓ1および時間長ｓ2を重みとした、第１設定階調および第２設定階調の加重平均に相当する階調を表示するものとして、観察者に知覚される。
時間長ｓ1[m]は、画素ＰIXが、画素部３０の上部（Ｙ方向の負側）に位置する場合に短くなる。この場合、当該画素ＰIXは、第２設定階調に比べて第１設定階調に近い階調を表示するものとして、観察者に知覚される。
【００５７】
次に、信号線駆動回路４４の詳細な構成について説明する。信号線駆動回路４４のブロック図を図８に示す。信号線駆動回路４４は、ｋ+２個の選択回路ＳＥＬ0〜ＳＥＬk+1を備える。但し、ｋを２以上の自然数である。このうち、ｋ個の選択回路ＳＥＬ1〜ＳＥＬkは、１個の入力端子と、５個の出力端子と、５個のスイッチとを備える。５個の出力端子は、５本の信号線３４に接続されている。また、選択回路ＳＥＬ0は、１個の入力端子と、４個の出力端子と、４個のスイッチとを備える。さらに、選択回路ＳＥＬｋ+1は、１個のスイッチを備える。選択回路ＳＥＬ0〜ＳＥＬk+1に設けられた各スイッチＳＷ１〜ＳＷ５は制御信号Ｓ１〜Ｓ５によりオン・オフが制御される。具体的には、制御信号Ｓ１がアクティブ（ハイレベル）になるとスイッチＳＷ１がオン状態となり、制御信号Ｓ２がアクティブになるとスイッチＳＷ２がオン状態となり、制御信号Ｓ３がアクティブになるとスイッチＳＷ３がオン状態となり、制御信号Ｓ４がアクティブになるとスイッチＳＷ４がオン状態となり、制御信号Ｓ５がアクティブになるとスイッチＳＷ５がオン状態となる。
【００５８】
信号供給回路４５は、画像信号Ｇおよび制御信Ｓ１〜Ｓ４に基づいて、データ信号Ｄ[0]〜Ｄ[k+1]を生成する。このうち、ｋ+1個のデータ信号Ｄ[0]〜Ｄ[k]は４列分の画素に供給する階調電位を時分割多重したものとなっている。選択回路ＳＥＬ0〜ＳＥＬkは、時分割多重されたデータ信号Ｄ[0]〜Ｄ[k]をデコードして得た階調電位を４列分の画素に分配する機能がある。
【００５９】
図９に、３Ｄ表示モードにおける信号線駆動回路４４のタイミングチャートを示し、図１０に３Ｄ表示モードにおける選択回路ＳＥＬ１の動作を模式的に示す。
まず、単位期間Ｕ1では、図９に示すように走査信号Ｙ[1]，Ｙ[2]といったように走査信号Ｙ[2p-1]および走査信号Ｙ[2p]が同時にアクティブとなり、第１組の走査線３２が同時に選択される。
【００６０】
単位期間Ｕ1では、第１組の走査線３２が同時に選択される期間中に、期間Ｔ１、期間Ｔ２および期間Ｔ３が設定されている。このうち、期間Ｔ１は、プリチャージ電位Ｖpreを信号線３４に供給する期間である。また、期間Ｔ２および期間Ｔ３は、ブロックに属する４つの画素に階調電位を供給する期間である。
期間Ｔ１では、制御信号Ｓ１〜Ｓ４がアクティブとなり、制御信号Ｓ５が非アクティブとなる。このため、図１０に示すようにプリチャージ電位ＶpreがスイッチＳＷ１〜ＳＷ４を介してブロックＢa1およびＢa2の画素ＰIXに書き込まれる。プリチャージ電位Ｖpreは、期間Ｔ２および期間Ｔ３における階調電位の書き込みが容易になる電位に設定されており、例えば、中間階調に対応する電位としてもよい。
次に、期間Ｔ２では、図９に示すように制御信号Ｓ１およびＳ２がアクティブとなり、制御信号Ｓ３〜Ｓ５が非アクティブとなる。このため、図１０に示すように階調電位Ｖa1がスイッチＳＷ１およびＳＷ２を介してブロックＢa1の画素ＰIXに書き込まれる。
次に、期間Ｔ３では、図９に示すように制御信号Ｓ３およびＳ４がアクティブとなり、制御信号Ｓ１、Ｓ２、およびＳ５が非アクティブとなる。このため、図１０に示すように階調電位Ｖa2がスイッチＳＷ３およびＳＷ４を介してブロックＢa2の画素ＰIXに書き込まれる。
【００６１】
一方、単位期間Ｕ2では、図９に示すように走査信号Ｙ[2]，Ｙ[3]といったように走査信号Ｙ[2p]および走査信号Ｙ[2p+1]が同時にアクティブとなり、第２組の走査線３２が同時に選択される。
単位期間Ｕ2では、第２組の走査線３２が同時に選択される期間中に、期間Ｔ４、期間Ｔ５および期間Ｔ６が設定されている。このうち、期間Ｔ４は、プリチャージ電位Ｖpreを信号線３４に供給する期間である。また、期間Ｔ５および期間Ｔ６は、ブロックに属する４つの画素に階調電位を供給する期間である。
【００６２】
期間Ｔ４では、制御信号Ｓ１〜Ｓ３およびＳ５がアクティブとなり、制御信号Ｓ４が非アクティブとなる。このため、図１０に示すようにプリチャージ電位ＶpreがスイッチＳＷ１〜ＳＷ３およびＳＷ５を介してブロックＢa1およびＢa2の画素ＰIXに書き込まれる。
次に、期間Ｔ５では、図９に示すように制御信号Ｓ２およびＳ３がアクティブとなり、制御信号Ｓ１、Ｓ４、およびＳ５が非アクティブとなる。このため、図１０に示すように階調電位Ｖb2がスイッチＳＷ２およびＳＷ３を介してブロックＢb2の画素ＰIXに書き込まれる。
次に、期間Ｔ６では、図９に示すように制御信号Ｓ１およびＳ５がアクティブとなり、制御信号Ｓ２〜Ｓ４が非アクティブとなる。このため、図１０に示すように階調電位Ｖb1がスイッチＳＷ１およびＳＷ５を介してブロックＢb1の画素ＰIXに書き込まれる。
【００６３】
図１０に示す信号線３４ｘは隣り合う２つの選択回路ＳＥＬ0と選択回路ＳＥＬ1の境界に位置し、信号線３４ｙは隣り合う２つの選択回路ＳＥＬ1と選択回路ＳＥＬ2の境界に位置する。以下の説明では、隣り合う２つの選択回路の境界に位置する信号線３４を共通信号線と称する。共通信号線３４ｘは選択回路ＳＥＬ0と選択回路ＳＥＬ1に接続されており、共通信号線３４ｙは選択回路ＳＥＬ1と選択回路ＳＥＬ2に接続されている。
【００６４】
共通信号線３４ｘに着目すると、単位期間Ｕ1では、隣り合う２つの選択回路ＳＥＬ0と選択回路ＳＥＬ1のうち一方の選択回路ＳＥＬ0で共通信号線３４ｘを選択し、且つ、他方の選択回路ＳＥＬ1で共通信号線３４ｘを非選択としている。一方、単位期間Ｕ2では、他方の選択回路ＳＥＬ1で共通信号線３４ｘを選択し、且つ、一方の選択回路ＳＥＬ0で共通信号線３４ｘを非選択としている。
また、共通信号線３４ｙに着目すると、単位期間Ｕ1では、隣り合う２つの選択回路ＳＥＬ1と選択回路ＳＥＬ2のうち一方の選択回路ＳＥＬ1で共通信号線３４ｙを選択し、且つ、他方の選択回路ＳＥＬ2で共通信号線３４ｙを非選択としている。一方、単位期間Ｕ2では、他方の選択回路ＳＥＬ2で共通信号線３４ｙを選択し、且つ、一方の選択回路ＳＥＬ1で共通信号線３４ｘを非選択としている。
【００６５】
このように、共通信号線３４ｘおよび３４ｙの各々は、隣り合う選択回路に接続されているが、単位期間Ｕ1およびＵ2において、これらを選択する選択回路を切り替えることによって、同じ階調電位を供給する信号線３４を切り替えている。この結果、単位期間Ｕ1およびＵ2において、ブロックを構成する画素ＰIXを左右に１画素ずらすことが可能となる。
【００６６】
また、２Ｄ表示モードの場合は、図１１に示すように各選択期間Ｈにおいて期間Ｔ１０〜Ｔ１４が割り当てられている。期間Ｔ１では制御信号Ｓ１〜Ｓ４がアクティブとなり、スイッチＳＷ１〜ＳＷ４を介してプリチャージ電位Ｖpreが各画素ＰIXに書き込まれる。一方、期間Ｔ１１〜期間Ｔ１４では、制御信号Ｓ１〜Ｓ４が順次アクティブとなって、スイッチＳＷ１〜ＳＷ４を介して階調電位が信号線３４に供給される。なお、２Ｄ表示モードにおいては、制御信号Ｓ５は非アクティブとなっており、スイッチＳＷ５を介して階調電位Ｖpreが供給されることはない。
【００６７】
以上に説明した第１実施形態では、各単位期間Ｕにて走査線３２を２本単位で選択して各画素ＰIXに階調電位Ｘ[n]を供給する。したがって、各表示期間Ｐにて走査線３２を１行単位で選択期間Ｈ毎に順次に選択して各画素ＰIXに階調電位Ｘ[n]を供給する構成と比較すると、右眼用画像ＧRと左眼用画像ＧLとが混在する期間（すなわち右眼用シャッター２２および左眼用シャッター２４の双方を閉状態に維持すべき期間）の時間長が短縮される。すなわち、表示期間Ｐのうち右眼用シャッター２２または左眼用シャッター２４を開状態に維持できる時間長が充分に確保される。したがって、観察者が認識する表示画像の明度を向上することが可能である。
【００６８】
また、第１実施形態では、各表示期間Ｐの単位期間Ｕ1および単位期間Ｕ2の各々において走査線３２を２本単位で選択して各画素ＰIXに階調電位Ｘ[n]を供給する。また、各選択期間Ｈにおいて、互いに隣り合う２本の信号線３４に対して、共通の階調電位Ｘ[n]を同時に供給する。従って、表示制御回路１４２および駆動回路４０の動作速度や、表示データＶおよび画像信号Ｇの転送速度を、表示期間Ｐを周期として表示画像を更新する構成の約半分に抑えつつ立体視表示を実現できる。すなわち、第1実施形態にかかる電気光学装置１０は、駆動回路の回路規模や製造コストを低減できるという利点を有する。
【００６９】
また、第１実施形態では、図３に示すように、右眼用画像ＧRの指定する階調ＧR[2p-1][2q-1]に応じた階調電位Ｘ[n]が、制御期間Ｔ1における右眼用表示期間ＰRの単位期間Ｕ1では正極性に設定され、制御期間Ｔ2における右眼用表示期間ＰRの単位期間Ｕ1では負極性に設定される。右眼用表示期間ＰRの単位期間Ｕ2における階調ＧR[2p][2q]、左眼用表示期間ＰLの単位期間Ｕ1における階調ＧL[2p-1][2q-1]、および、左眼用表示期間ＰLの単位期間Ｕ2における階調ＧL[2p][2q]についても同様に、階調電位Ｘ[n]が正極性に設定される時間長と負極性に設定される時間長とが均等化される。したがって、液晶素子ＣLに対する直流成分の印加を抑制できる（液晶素子ＣLの劣化を抑制できる）という利点がある。
【００７０】
また、第１実施形態では、上述の通り、右眼用表示期間ＰR内の単位期間Ｕ2において、単位期間Ｕ1にて表示された画像と、単位期間Ｕ2にて表示される画像とが混在する。左眼用表示期間ＰLにおいても同様である。したがって、各単位期間Ｕにおける表示画像の解像度の低下が観察者に知覚され難いという利点がある。
【００７１】
ところで、表示データＶ（右眼用表示データＶR，左眼用表示データＶL）に基づいて、観察者に立体感を知覚させる立体視画像を表示する電子機器として、走査線３２を２本単位で選択し、同時に選択される２行にてｙ方向に相互に隣り合う２個の画素ＰIXのうち一方の画素ＰIXに表示データＶが指定する階調を、当該２個の画素ＰIXに共通に供給することで、右眼用表示データＶRの示す画像と左眼用表示データＶLの示す画像とを時分割で交互に表示する構成（以下、「対比例１」と称する）も想定することができる。以下、第1実施形態の効果を詳説するために、図１２を参照しつつ、対比例１に係る電気光学装置の表示動作について説明する。
【００７２】
図１２の部分(R1)に示す通り、に示すように、各制御期間Ｔ（Ｔ1，Ｔ2）内の右眼用表示期間ＰRの単位期間Ｕ1のうち、第１組を構成する第(2p-1)行および第(2p)行の２本の走査線３２が選択される選択期間Ｈでは、信号線駆動回路４４は、右眼用表示データＶRが第(2p-1)行の各画素ＰIXに指定する階調ＶR[2p-1][1]〜ＶR[2p-1][N]に応じた階調電位Ｘ[1]〜Ｘ[Ｎ]を、Ｎ本の信号線３４の各々に供給する。したがって、第１組を構成する第(2p-1)行および第(2p)行の各画素ＰIXのうち第ｎ列の２個の画素ＰIX（選択画素）には、第(2p-1)行第ｎ列の画素ＰIXに右眼用表示データＶRが指定する階調ＶR[2p-1][N]に応じた階調電位Ｘ[n]が供給される。
また、図１２の部分(R2)に示す通り、各制御期間Ｔ（Ｔ1，Ｔ2）内の右眼用表示期間ＰRの単位期間Ｕ2のうち、第２組を構成する第(2p)行および第(2p+1)行の２本の走査線３２が選択される選択期間Ｈでは、信号線駆動回路４４は、右眼用表示データＶRが第(2p)行の各画素ＰIXに指定する階調ＶR[2p][1]〜ＶR[2p][N]に応じた階調電位Ｘ[1]〜Ｘ[Ｎ]を、Ｎ本の信号線３４の各々に供給する。したがって、第２組を構成する第(2p)行および第(2p+1)行の各画素ＰIXのうち第ｎ列の２個の画素ＰIX（選択画素）には、第(2p)行第ｎ列の画素ＰIXに右眼用表示データＶRが指定する階調ＶR[2p][N]に応じた階調電位Ｘ[n]が供給される。
各制御期間Ｔ（Ｔ1，Ｔ2）の左眼用表示期間ＰLでは右眼用表示期間ＰR内と同様の動作が実行される。すなわち、左眼用表示期間ＰLの単位期間Ｕ1内の各選択期間Ｈでは、図１２の部分(L1)に示す通り、第(2p-1)行および第(2p)行で構成される第１組の各画素ＰIXのうち第ｎ列の２個の画素ＰIX（選択画素）には、第(2p-1)行第ｎ列の画素ＰIXに左眼用表示データＶLが指定する階調ＶL[2p-1][N]に応じた階調電位Ｘ[n]が供給される。また、左眼用表示期間ＰLの単位期間Ｕ2内の各選択期間Ｈでは、図１２の部分(L2)に示す通り、第(2p)行および第(2p+1)行で構成される第２組の各画素ＰIXのうち第ｎ列の２個の画素ＰIX（選択画素）には、第(2p)行第ｎ列の画素ＰIXに左眼用表示データＶLが指定する階調ＶL[2p][N]に応じた階調電位Ｘ[n]が供給される。
【００７３】
図１３は、対比例１に係る電気光学装置に供給される表示データＶの指定する階調と、観察者が知覚する画像との関係について表した説明図である。図１３（Ａ）は、外部回路から供給される表示データＶ（右眼用表示データＶR）が各画素ＰIXに指定する階調ＶR[m][n]の大きさを、濃淡で表した説明図である。図１３（Ａ）に表す表示データＶは、図６（Ａ）に表す表示データＶと同一である。なお、ここでは、表示データＶが右眼用表示データＶRの場合を例示して説明するが、以下の説明は、表示データＶが左眼用表示データＶLであっても同様に該当する。図１３（Ｂ）は単位期間Ｕ1において右眼用表示データＶRが各画素ＰIXに指定する階調ＶR[m][n]の大きさを表し、図１３（Ｃ）は単位期間Ｕ2において右眼用表示データＶRが各画素ＰIXに指定する階調ＶR[m][n]の大きさを表す。
図１３（Ｂ）に示すように、単位期間Ｕ1において、例えば、第５行第４列および第６行第４列の２個の画素ＰIXには、階調ＶR[5][4]に応じた階調電位Ｘ[n]が供給される。ここで、階調ＶR[5][4]は最小階調（図において黒色）である。一方、図１３（Ｃ）に示すように、単位期間Ｕ2において、第６行第４列および第７行第４列の２個の画素ＰIXには、階調ＶR[6][4]に応じた階調電位Ｘ[n]が供給される。ここで、階調ＶR[6][4]は最大階調（図において白色）である。
このとき、図１３（Ｂ）および（Ｃ）において「○」印が付された第６行第４列の画素ＰIXは、単位期間Ｕ1において最小階調（黒色）が指定され、単位期間Ｕ2において最大階調（白色）が指定される。すなわち、第６行第４列の画素ＰIXは、単位期間Ｕ2のうち一定期間（すなわち、時間長ｓ1に相当する期間）において最小階調を表示し、その後の単位期間Ｕ2が終了するまでの期間（すなわち、時間長ｓ2に相当する期間）において最大階調を表示する。つまり、第６行第４列の画素ＰIXが表示する階調は、単位期間Ｕ2の中で、最小階調から最大階調へと、急激に変化する。
【００７４】
このように、画素ＰIXの表示する階調が、単位期間Ｕ2において変化する場合、観察者は、画素ＰIXの表示する階調の変化を「ちらつき」として知覚することがある。特に、図１３に示す例のように、ある画素ＰIXが単位期間Ｕ1において指定される階調と単位期間Ｕ2において指定される階調との差異が大きい場合、当該画素ＰIXの表示する階調は、単位期間Ｕ2において大きく変化するため、観察者が当該画素ＰIXの階調の変化を「ちらつき」として知覚する可能性が高くなる。また、表示データＶの表す映像が静止画である場合、図１３（Ｂ）および（Ｃ）で示した各画素ＰIXの階調の変化が、制御期間Ｔ毎に連続的に繰り返されるため、観察者が各画素ＰIXの階調の変化を「ちらつき」として知覚する可能性が高くなる。
【００７５】
これに対して、第１実施形態では、信号線駆動回路４４は、各単位期間Ｕ（Ｕ1，Ｕ2）において指定されるブロックＢLに属する４個の画素ＰIXに対して、表示データＶが当該４個の画素ＰIXの各々に指定する階調の平均として算出される階調に応じた階調電位Ｘを共通に供給する。これにより、第１実施形態では、単位期間Ｕ2における各画素ＰIXの階調の変化量を、対比例１に比べて小さくに抑えることが可能である。
例えば、図６（Ａ）に示す表示データＶが外部回路から供給された場合、対比例１では、図１３（Ｂ）および（Ｃ）に示すように、第６行第４列の画素ＰIXの階調が、最小階調（図において黒色）から最大階調（図において白色）へと大きく変化するのに対して、第１実施形態では、図６（Ｂ）および（Ｃ）に示すように、第６行第４列の画素ＰIXの階調は、中間階調（灰色）から最大階調（白色）へと変化するに過ぎない。
すなわち、第１実施形態では、単位期間Ｕ1において各画素ＰIXが指定される階調（第１設定階調）と、単位期間Ｕ2において各画素ＰIXが指定される階調（第２設定階調）との変化量を小さく抑えることで、各画素ＰIXの階調の変化を「ちらつき」として観察者に知覚される可能性を低減することができる。
【００７６】
また、第１実施形態では、各選択期間Ｈにおいて、互いに隣り合う２本の信号線３４に対して、共通の階調電位Ｘ[n]を同時に供給する。従って、表示制御回路１４２および駆動回路４０の動作速度を対比例１の約半分に抑えつつ立体視表示を実現できる。すなわち、第1実施形態にかかる電気光学装置１０は、駆動回路の回路規模や製造コストを低減できるという利点を有する。
【００７７】
＜第２実施形態＞                                                            
第1実施形態では、各表示期間Ｐ（ＰR，ＰL）が相等しい時間長の２個の単位期間Ｕ（Ｕ1，Ｕ2）に区分され、各表示期間Ｐ（ＰR，ＰL）の単位期間Ｕ1にて右眼用シャッター２２および左眼用シャッター２４の双方を閉状態に制御するため、観察者が実際に画像を視認できる期間が、右眼用表示期間ＰRおよび左眼用表示期間ＰLの各々における単位期間Ｕ2（すなわち、各表示期間Ｐの約半分の期間）に制限される。
第２実施形態は、第１実施形態で発生しうる以上の問題の解決を目的とした形態である。なお、以下に例示する各形態において作用や機能が第１実施形態と同等である要素については、以上の説明で参照した符号を流用して各々の詳細な説明を適宜に省略する。
【００７８】
図１４は、第２実施形態における電気光学装置１０の動作の説明図である。第２実施形態における電気光学装置１０の動作期間は、複数の制御期間Ｔaに区分され、各制御期間Ｔaは、所定長の２個の表示期間Ｐa（右眼用表示期間ＰRa，左眼用表示期間ＰLa）に区分される。各表示期間Ｐaは、２つの単位期間Ｕ1と、２つの単位期間Ｕ2とからなる、４個の単位期間Ｕに区分される。具体的には、各表示期間Ｐa（ＰRa，ＰLa）は、単位期間Ｕ1、単位期間Ｕ2、単位期間Ｕ1、および単位期間Ｕ2の４個の単位期間Ｕに区分される。ここで、４個の単位期間Ｕのうち１つめの単位期間Ｕに相当する単位期間Ｕ1を「最初の単位期間Ｕ1」と称し、２つめの単位期間Ｕに相当する単位期間Ｕ2を「最初の単位期間Ｕ2」と称し、３つめの単位期間Ｕに相当する単位期間Ｕ1を「最後の単位期間Ｕ1」と称し、４つめの単位期間Ｕに相当する単位期間Ｕ2を「最後の単位期間Ｕ2」と称する。すなわち、第２実施形態に係る制御期間Ｔaは、第１実施形態に係る制御期間Ｔの２倍の時間長を有する。
第２実施形態における電気光学装置１０は、各表示期間Ｐaに含まれる２つの単位期間Ｕ1では、第１実施形態と同様に、奇数行奇数列に位置する複数の画素ＰIXの各々を基準画素として当該複数の基準画素の各々に対応する複数のブロックＢLを指定するとともに、各表示期間Ｐaに含まれる２つの単位期間Ｕ2において、偶数行偶数列に位置する複数の画素ＰIXの各々を基準画素として、当該複数の基準画素の各々に対応する複数のブロックＢLを指定する。また、第２実施形態では、各制御期間Ｔaの各表示期間Ｐaのうち、最初の単位期間Ｕ1および最後の単位期間Ｕ2において、階調電位Ｘ[n]の極性が正極性(+)に設定され、最初の単位期間Ｕ2および最後の単位期間Ｕ1において、階調電位Ｘ[n]の極性が負極性(-)に設定さる。なお、第１実施形態では、第１実施形態のように、制御期間Ｔ毎に、階調電位Ｘ[n]の極性を反転させない。
【００７９】
第２実施形態において、眼鏡制御回路１４４は、図１４に示すように、各表示期間Ｐa（ＰRa，ＰLa）の最初の単位期間Ｕ1にて右眼用シャッター２２および左眼用シャッター２４の双方を閉状態に制御する。また、眼鏡制御回路１４４は、右眼用表示期間ＰRaの最初の単位期間Ｕ2の開始から最後の単位期間Ｕ2の終了までの期間にて右眼用シャッター２２を開状態に制御するとともに左眼用シャッター２４を閉状態に制御し、左眼用表示期間ＰLaの最初の単位期間Ｕ2の開始から最後の単位期間Ｕ2の終了までの期間にて左眼用シャッター２４を開状態に制御するとともに右眼用シャッター２２を閉状態に制御する。
【００８０】
このように、第２実施形態では、各表示期間Ｐa（ＰRa，ＰLa）を構成する４つの単位期間Ｕのうち、最初の単位期間Ｕ（つまり、最初の単位期間Ｕ1）にて、右眼用シャッター２２および左眼用シャッター２４の双方を閉状態に制御する。従って、第２実施形態では、右眼用画像ＧRと左眼用画像ＧLとの混在（クロストーク）を抑止するとともに、各表示期間Ｐの約半分の期間において右眼用シャッター２２および左眼用シャッター２４の双方を閉状態に制御される第１実施形態に比べて観察者が認識する表示画像の明度を向上させることが可能となる。
また、第２実施形態では、図１４に示すように、右眼用画像ＧRの指定する階調ＧR[2p-1][2q-1]に応じた階調電位Ｘ[n]が、右眼用表示期間ＰRaの最初の単位期間Ｕ1では正極性に設定され、最後の単位期間Ｕ1では負極性に設定される。また、右眼用画像ＧRの指定する階調ＧR[2p][2q]に応じた階調電位Ｘ[n]が、右眼用表示期間ＰRaの最初の単位期間Ｕ1では正極性に設定され、最後の単位期間Ｕ1では負極性に設定される。右眼用表示期間ＰRaの各単位期間Ｕ2における階調ＧR[2p][2q]、左眼用表示期間ＰLaの各単位期間Ｕ1における階調ＧL[2p-1][2q-1]、および、左眼用表示期間ＰLaの各単位期間Ｕ2における階調ＧL[2p][2q]についても同様に、階調電位Ｘ[n]が正極性に設定される時間長と負極性に設定される時間長とが均等化される。したがって、液晶素子ＣLに対する直流成分の印加を抑制できる（液晶素子ＣLの劣化を抑制できる）という利点がある。
また、第２実施形態では、第１実施形態と同様に、信号線駆動回路４４は、各単位期間Ｕ（Ｕ1，Ｕ2）において指定されるブロックＢLに属する４個の画素ＰIXに対して、表示データＶが当該４個の画素ＰIXの各々に指定する階調の平均として算出される階調に応じた階調電位Ｘを共通に供給するため、各画素ＰIXが単位期間Ｕ1において指定される階調（第１設定階調）と、単位期間Ｕ2において指定される階調（第２設定階調）との変化量を小さく抑えることで、各画素ＰIXの階調の変化を「ちらつき」として観察者に知覚される可能性を低減することができるという利点を有する。
【００８１】
＜変形例＞                                                      
以上の各形態は多様に変形され得る。具体的な変形の態様を以下に例示する。以下の例示から任意に選択された２以上の態様は、相互に矛盾しない範囲内で適宜に併合され得る。
【００８２】
（１）変形例１
上述した第１実施形態では、右眼用表示期間ＰRのうち単位期間Ｕ1の終点にて右眼用シャッター２２を閉状態から開状態に変化させたが、右眼用シャッター２２を閉状態から開状態に変化させる時期は適宜に変更される。例えば、右眼用表示期間ＰRの単位期間Ｕ1の終点以前に右眼用シャッター２２を開状態に変化させる構成では、単位期間Ｕ1内での右眼用画像ＧRと左眼用画像ＧLとの混在が観察者に若干は知覚されるが、表示画像の明度を向上させることが可能である。他方、右眼用表示期間ＰRの単位期間Ｕ1の終点以降の時点で右眼用シャッター２２を開状態に変化させる構成では、表示画像の明度は低下するが、右眼用画像ＧRと左眼用画像ＧLとの混在が観察者に知覚されることを確実に防止することが可能である。
同様に、右眼用シャッター２２を開状態から閉状態に変化させる時期を、右眼用表示期間ＰRの単位期間Ｕ2の終点以前に設定した構成（表示画像の明度は低下するが右眼用画像ＧRと左眼用画像ＧLとの混在は防止される）や、右眼用表示期間ＰRの単位期間Ｕ2の終点以降に設定した構成（左眼用表示期間ＰLの単位期間Ｕ1内で右眼用画像ＧRと左眼用画像ＧLとの若干の混在は知覚されるが表示画像の明度は向上する）も採用され得る。また、右眼用画像ＧRと左眼用画像ＧLとの混在が観察者に知覚され難い開閉の時期は、右眼用シャッター２２および左眼用シャッター２４の応答特性と電気光学パネル１２（液晶素子ＣL）の応答特性との関係にも依存する。したがって、右眼用シャッター２２を閉状態から開状態に変化させる時期や開状態から閉状態に変化させる時期は、右眼用画像ＧRと左眼用画像ＧLとの混在を観察者に知覚されることの防止と表示画像の明度の確保との優先度（バランス）や、立体視用眼鏡２０の応答特性と電気光学パネル１２の応答特性との関係といった種々の要因を考慮して選定される。なお、以上の説明では右眼用シャッター２２に言及したが、左眼用シャッター２４の開閉の時期についても同様の事情が妥当する。
【００８３】
以上の説明から理解されるように、右眼用シャッター２２が開状態に制御される期間は、右眼用表示期間ＰRにおける単位期間Ｕ2の少なくとも一部を含む期間（単位期間Ｕ1を含むか否かは不問）として包括される。同様に、左眼用シャッター２４が開状態に制御される期間は、左眼用表示期間ＰLにおける単位期間Ｕ2の少なくとも一部を含む期間（単位期間Ｕ1を含むか否かは不問）として包括される。また、右眼用シャッター２２および左眼用シャッター２４の双方が閉状態に制御される期間は、各表示期間Ｐ（ＰR，ＰL）のうち単位期間Ｕ1の少なくとも一部の期間として包括される。
【００８４】
（２）変形例２
変形例１では第１実施形態を例示したが、第２実施形態においても、右眼用シャッター２２および左眼用シャッター２４を開閉する時期は適宜に変更される。例えば、右眼用シャッター２２が開状態に制御される期間は、右眼用表示期間ＰRaにおける最初の単位期間Ｕ2の開始から最後の単位期間Ｕ2の終了までの期間のうち少なくとも一部を含む期間（最初の単位期間Ｕ1を含むか否かは不問）として包括される。同様に、左眼用シャッター２４が開状態に制御される期間は、左眼用表示期間ＰLaにおける最初の単位期間Ｕ2の開始から最後の単位期間Ｕ2の終了までの期間のうち少なくとも一部を含む期間（最初の単位期間Ｕ1を含むか否かは不問）として包括される。また、右眼用シャッター２２および左眼用シャッター２４の双方が閉状態に制御される期間は、各表示期間Ｐa（ＰRa，ＰLa）のうち最初の単位期間Ｕ1の少なくとも一部の期間として包括される。
【００８５】
（３）変形例３
上述した実施形態および変形例に係る電気光学装置１０は、各表示期間Ｐ（またはＰa）の単位期間Ｕ1において、奇数行奇数列に位置する複数の画素ＰIXの各々を基準画素として、当該複数の基準画素の各々に対応する複数のブロックＢLを指定するとともに、各表示期間Ｐ（またはＰa）の単位期間Ｕ2において、偶数行偶数列に位置する複数の画素ＰIXの各々を基準画素として、当該複数の基準画素の各々に対応する複数のブロックＢLを指定したが、本発明はこのような態様に限定されるものではなく、各表示期間Ｐ（またはＰa）の単位期間Ｕ1において、偶数行偶数列に位置する複数の画素ＰIXの各々を基準画素として、当該複数の基準画素の各々に対応する複数のブロックＢLを指定するとともに、
各表示期間Ｐ（またはＰa）の単位期間Ｕ2において、奇数行奇数列に位置する複数の画素ＰIXの各々を基準画素として、当該複数の基準画素の各々に対応する複数のブロックＢLを指定するものであってもよい。
【００８６】
（４）変形例４
上述した実施形態および変形例では、電気光学装置１０が各表示期間Ｐ（またはＰa）の単位期間Ｕ2において指定するブロックＢLは、各表示期間Ｐ（またはＰa）に単位期間Ｕ1において指定したブロックＢLに対して、ｘ方向およびｙ方向に対して１画素ずつずれたものであったが、本発明はこのような態様に限定されるものではなく、ｘ方向またはｙ方向の少なくとも一方に対して１画素ずれたものであってもよい。例えば、各表示期間Ｐ（またはＰa）の単位期間Ｕ2において指定するブロックＢLは、各表示期間Ｐ（またはＰa）に単位期間Ｕ1において指定したブロックＢLに対して、ｘ方向に１画素ずれたものであってもよい。また、各表示期間Ｐ（またはＰa）の単位期間Ｕ2において指定するブロックＢLは、各表示期間Ｐ（またはＰa）に単位期間Ｕ1において指定したブロックＢLに対して、ｙ方向に１画素ずれたものであってもよい。
【００８７】
（５）変形例５  
上述した実施形態および変形例に係る電気光学装置１０は、式（１）乃至式（８）に示した演算の結果として算出される階調に応じて各画素ＰIXに供給する階調電位Ｘ[n]を定めるものであったが、本発明はこのような態様に限定されるものではなく、所定の条件を満たす場合にのみ式（１）乃至式（８）に示した演算を行うものであってもよい。例えば、あるブロックＢLに属する４個の画素ＰIXに対して表示データＶが指定する階調のうち、最大の階調と最小の階調との差分が所定の閾値よりも大きい場合にのみ、式（１）乃至式（８）に示した演算を行うものであってもよい。
【００８８】
より具体的には、あるブロックＢL[m][n]に属する４個の画素ＰIXに対して表示データＶが指定する階調のうち最大値を最大表示階調Ｖmax[m][n]とし、最小値を最小表示階調Ｖmin[m][n]とし、最大表示階調Ｖmaxと最小表示階調Ｖminとの差分の絶対値を差分階調ΔＶ[m][n]とする。そして、表示制御回路１４２および駆動回路４０は、差分階調ΔＶ[m][n]が所定の閾値αよりも大きければ、当該ブロックＢL[m][n]に属する４個の画素ＰIXの各々に対して表示データＶが指定する階調の平均として算出される階調に応じた階調電位Ｘを、当該ブロックＢL[m][n]に属する４個の画素ＰIXの各々に対して共通に供給する。一方、差分階調ΔＶ[m][n]が所定の閾値α以下であれば、当該ブロックＢL[m][n]に属する４個の画素ＰIXのうち所定位置の画素ＰIX（例えば、当該ブロックＢL[m][n]の基準画素である第ｍ行第ｎ列の画素ＰIX）に対して表示データＶが指定する階調に応じた階調電位Ｘを、当該ブロックＢL[m][n]に属する４個の画素ＰIXの各々に対して共通に供給する。
【００８９】
このように、変形例５に係る電気光学装置１０は、あるブロックＢLに属する４個の画素ＰIXに対して表示データＶが指定する階調のうち、最大の階調と最小の階調との差分が所定の閾値よりも大きい場合には、当該ブロックＢLに属する４個の画素ＰIXの各々に対して表示データＶが指定する階調の平均を、式（１）乃至式（８）に示した演算により算出し、算出した値に応じた階調電位Ｘを、当該４個の画素ＰIXに対して共通に供給する。従って、式（１）乃至式（８）に示した演算を行わない場合、例えば、あるブロックＢLに属する４個の画素ＰIXのうち所定位置の画素ＰIXに対して表示データＶが指定する階調に応じた階調電位Ｘを、当該ブロックＢLに属する４個の画素ＰIXに対して常に共通に供給する場合に比べて、単位期間Ｕ1において各画素ＰIXが指定される階調（第１設定階調）と、単位期間Ｕ2において各画素ＰIXが指定される階調（第２設定階調）との差異を小さくすることができる。これにより、観察者が「ちらつき」を視認する可能性を低減することができる。
【００９０】
（６）変形例６  
上述した実施形態および変形例では、表示データＶから画像信号Ｇを算出する加重平均の演算において用いる４つの重み付け係数ｗを等しい値に設定したが、本発明はこのような態様に限定されるものではなく、４つの重み付け係数ｗの各々を異なる値に設定してもよい。
表示データＶから画像信号Ｇを算出する加重平均の演算において用いる４つの重み付け係数ｗを等しい値に設定すると、電気光学装置１０は、表示データＶが示す本来の画像に比べてコントラストの弱い画像を表示する場合がある。例えば図６（Ａ）に示したように、表示データＶが示す画像が、白色の背景と黒色の図形とを表示する画像である場合、４つの重み付け係数ｗを等しい値に設定すると、電気光学装置１０の表示する画像は、本来黒色として表示されるはずの図形を、灰色で表示してしまう。
変形例６に係る電気光学装置１０は、ブロックＢLに属する４個の画素ＰIXの階調を算出する加重平均の演算における４つの重み付け係数ｗを、当該４個の画素ＰIXの各々対して表示データＶが指定する階調と、当該４個の画素ＰIXを含む所定個の画素ＰIXの各々に対して表示データＶが指定する階調との関係とに基づいて定める。すなわち、変形例６に係る電気光学装置１０は、各ブロックＢLの階調を、各ブロックＢLに属する４個の画素ＰIXの階調と、各ブロックＢLの周囲に存在する複数の画素ＰIXの階調との関係に基づいて制御する。これにより、変形例６に係る電気光学装置１０は、表示データＶが示す本来の表示画像に近い鮮明な画像を表示することを可能とする。
【００９１】
図１５を参照しつつ、４つの重み付け係数ｗの具体的な決定方法について述べる。
まず、表示制御回路１４２は、あるブロックＢL[m][n]に属する４個の画素ＰIXを含む所定個の画素ＥNV[m][n]の各々に対して表示データＶが指定する階調の平均値を、平均階調ＶAVE[m][n]として算出する。なお、ブロックＢL[m][n]に属する４個の画素ＰIXを含む所定個の画素ＥNV[m][n]は、ブロックＢL[m][n]を含むよう適宜定めればよい。本変形例では、図１５に示すように、ブロックＢL[m][n]に属する４個の画素と、当該４個の画素ＰIXを取り囲む１２個の画素ＰIXとからなる、合計１６個の画素ＰIXを、所定個の画素ＥNV[m][n]とする。
次に、表示制御回路１４２は、あるブロックＢL[m][n]に属する４個の画素ＰIXの各々に対して表示データＶが指定する階調のうち最大値を最大表示階調Ｖmax[m][n]とし、最小値を最小表示階調Ｖmin[m][n]としたとき、最大表示階調Ｖmax[m][n]と平均階調ＶAVE[m][n]との差分の絶対値を第１差分階調ΔＶ１[m][n]として算出するとともに、平均階調ＶAVE[m][n]と最小表示階調Ｖmin[m][n]との差分の絶対値を第２差分階調ΔＶ２[m][n]として算出する。
そして表示制御回路１４２は、第１差分階調ΔＶ１[m][n]が第２差分階調ΔＶ２[m][n]よりも大きな値となる場合、当該４個の画素ＰIXのうち、表示データＶが最大表示階調Ｖmax[m][n]を指定する画素ＰIXに対応する重み付け係数ｗを、他の３個の画素ＰIXに対応する３つの重み付け係数ｗに比べて大きな値に設定する。例えば、表示データＶが最大表示階調Ｖmax[m][n]を指定する画素ＰIXに対応する重み付け係数ｗを「２」とし、他の３個の画素ＰIXに対応する３つの重み付け係数ｗを「１」とする。
逆に、表示制御回路１４２は、第２差分階調ΔＶ２[m][n]が第１差分階調ΔＶ１[m][n]よりも大きな値となる場合、当該４個の画素ＰIXのうち、表示データＶが最小表示階調Ｖmin[m][n]を指定する画素ＰIXに対応する重み付け係数ｗを、３個の画素ＰIXに対応する３つの重み付け係数ｗに比べて大きな値に設定する。例えば、表示データＶが最小表示階調Ｖmin[m][n]を指定する画素ＰIXに対応する重み付け係数ｗを「２」とし、他の３個の画素ＰIXに対応する３つの重み付け係数ｗを「１」とする。
【００９２】
このように、変形例６によれば、表示データＶがブロックＢL[m][n]に属する４個の画素ＰIX対して指定する階調と、ブロックＢL[m][n]の周囲に存在する複数の画素ＰIXの各々に指定する階調とが大きく異なる場合には、ブロックＢL[m][n]が表示する階調と、ブロックＢL[m][n]の周辺に存在する複数の画素ＰIXが表示する階調とが大きく異なるように、４つの重み付け係数ｗを定める。これにより、当該ある画素ＰIXが、表示データＶの指定する階調に近い階調を表示することが可能となる。
例えば、図６（Ａ）に示される表示データＶの示す階調が外部回路から供給された場合、変形例６に係る電気光学装置１０によれば、図１６（Ａ）に示すように、ブロックＢL[5][3]に属する４個の画素ＰIXが単位期間Ｕ1において表示する階調と、当該４個の画素ＰIXの周囲の画素ＰIXが表示する階調との階調差は、図６（Ｂ）に示す第1実施形態の場合に比べて大きくなる。ブロックＢL[3][5]に属する４個の画素ＰIXも同様である。また、図１６（Ｂ）に示すように、ブロックＢL[4][4]に属する４個の画素ＰIXが単位期間Ｕ2において表示する階調と、当該４個の画素ＰIXの周囲の画素ＰIXが表示する階調との階調差は、図６（Ｃ）に示す第１実施形態の場合に比べて大きくなる。ブロックＢL[6][2]、ＢL[2][6]に属する画素ＰIXも同様である。従って、観察者は、図１６（Ｃ）に示すように、第１実施形態の場合（図７）よりも表示データＶが示す本来の画像を表す階調（図６（Ａ））に近い階調を各画素ＰIX表示するものとして知覚する。
【００９３】
（７）変形例７  
上述した実施形態および変形例では、ブロックＢLに属する４個の画素ＰIXの各々に対して表示データＶが指定する階調の平均値を算出し、当該平均値として算出される階調に応じた階調電位Ｘを、当該４個の画素ＰIXの各々に対して供給するものであったが、
本発明はこのような態様に限定されるものではなく、当該平均値に対して、係数（階調制御係数ρ）を乗じて得られる階調に応じた階調電位Ｘを、当該４個の画素ＰIXの各々に対して共通に供給するものであってもよい。すなわち、画像信号Ｇが当該４個の画素ＰIXに対して指定する階調は、当該平均値に対して、階調制御係数ρを乗じて得られる値に設定されるものであってもよい。
このとき、あるブロックＢLに対応する階調制御係数ρは、当該ブロックＢLに属する４個の画素ＰIXの各々に対して表示データＶが指定する階調と、当該４個の画素ＰIXの周辺に存在する複数の画素ＰIXとからなる所定個の画素ＰIXに対して表示データＶが指定する階調との関係とに基づいて定められるものであってもよい。これにより、変形例７に係る電気光学装置１０は、各ブロックＢLの階調を、各ブロックＢLに属する４個の画素ＰIXの階調と、各ブロックＢLの周囲に存在する複数の画素ＰIXの階調との関係に基づいて制御する。これにより、変形例７に係る電気光学装置１０は、表示データＶが示す本来の表示画像に近い鮮明な画像を表示することを可能とする。
【００９４】
以下では、階調制御係数ρの決定方法および、画像信号ＧがブロックＢLに指定する階調の算出方法について具体的に説明する。なお、以下では、ブロックＢL[m][n]に属する４個の画素ＰIXの階調を決定するための階調制御係数ρを、階調制御係数ρ[m][n]と表す。
まず、表示制御回路１４２は、あるブロックＢL[m][n]に属する４個の画素ＰIXの各々に対して表示データＶが指定する階調の平均値を平均階調ＢAVE[m][n]（第１平均階調）として算出する。
また、表示制御回路１４２は、あるブロックＢL[m][n]に属する４個の画素ＰIXを含む所定個の画素ＥNV[m][n]の各々に対して表示データＶが指定する階調の平均値を、平均階調ＶAVE[m][n]（第２平均階調）として算出する。なお、ブロックＢL[m][n]に属する４個の画素ＰIXを含む所定個の画素ＥNV[m][n]は、ブロックＢL[m][n]を含むよう適宜定めればよい。本変形例では、変形例６と同様に、ブロックＢL[m][n]に属する４個の画素と、当該４個の画素ＰIXを取り囲む１２個の画素ＰIXとからなる、合計１６個の画素ＰIXを、所定個の画素ＥNV[m][n]とする（図１５参照）。
次に、表示制御回路１４２は、あるブロックＢL[m][n]に属する４個の画素ＰIXの各々に対して表示データＶが指定する階調のうち最大値を最大表示階調Ｖmax[m][n]とし、最小値を最小表示階調Ｖmin[m][n]としたとき、最大表示階調Ｖmax[m][n]と平均階調ＶAVE[m][n]との差分の絶対値を第１差分階調ΔＶ１[m][n]として算出するとともに、平均階調ＶAVE[m][n]と最小表示階調Ｖmin[m][n]との差分の絶対値を第２差分階調ΔＶ２[m][n]として算出する。
そして表示制御回路１４２は、第１差分階調ΔＶ１[m][n]が第２差分階調ΔＶ２[m][n]よりも大きな値となる場合、階調制御係数ρ[m][n]を「１」よりも大きい値に設定する。逆に、表示制御回路１４２は、第２差分階調ΔＶ２[m][n]が第１差分階調ΔＶ１[m][n]よりも大きな値となる場合、階調制御係数ρ[m][n]を「０」よりも大きく、且つ、「１」よりも小さい値に設定する。
表示制御回路１４２は、画像信号ＧがブロックＢL[m][n]に属する４個の画素ＰIXに対して指定する階調（階調ＧR[m][n],階調ＧL[m][n]）を、階調制御係数ρ[m][n]と平均階調ＢAVE[m][n]とを乗じて得られた階調に設定する。すなわち、ブロックＢL[m][n]に属する４個の画素ＰIXには、階調制御係数ρ[m][n]と平均階調ＢAVE[m][n]とを乗じて得られた階調に応じた階調電位Ｘが共通に供給される。
このように、変形例７に係る電気光学装置１０は、ブロックＢLに属する４個の画素ＰIXの階調を、当該４個の画素ＰIXの各々に対して表示データＶが指定する階調と、当該４個の画素ＰIXを含む所定個の画素ＰIXに対して表示データＶが指定する階調とに基づいて定める。これにより、変形例７に係る電気光学装置１０は、表示データＶが示す本来の表示画像に近い鮮明な画像を表示することを可能とする。
【００９５】
（８）変形例８  
上述した実施形態および変形例において、信号線駆動回路４４は、各単位期間Ｕにおいて指定されるブロックＢLに対応する２本の信号線３４に対して同一の階調電位Ｘを同時に供給するものであったが、本発明はこのような態様に限定されるものではなく、Ｎ本の信号線３４の各々に対して、階調電位Ｘ[1]〜Ｘ[N]を順次に供給するものであってもよい。この場合、表示制御回路１４２は、単位期間Ｕ1の各選択期間Ｈにおいて、信号線駆動回路４４が奇数列（第(2q-1)列）の１本の信号線３４に供給する階調電位Ｘ[2q-1]と偶数列（第(2q)列）の１本の信号線３４に供給する階調電位Ｘ[2q]とが等しくなるように、画像信号Ｇを定め、単位期間Ｕ2の各選択期間Ｈにおいて、信号線駆動回路４４が偶数列（第(2q)列）の１本の信号線３４に供給する階調電位Ｘ[2q]と奇数列（第(2q+1)行）の１本の信号線３４に供給する階調電位Ｘ[2q+1]とが等しくなるように、画像信号Ｇを定めるものであってもよい。
【００９６】
（９）変形例９  
上述した実施形態２では、制御期間Ｔaの時間長を、第１実施形態における制御期間Ｔの時間長の２倍に設定されたが、本発明はこれに限定されるものではなく、第１実施形態における制御期間Ｔの時間長と等しいものであってもよい。この場合、各表示期間Ｐaを構成する４個の単位期間の時間長を、単位期間Ｕの時間長の半分にしてもよい。
第１実施形態のように各単位期間Ｕでの階調電位Ｘ[n]の極性を制御期間Ｔ毎に反転させた場合、図３に示すように、各制御期間Ｔの境界を挟む２個の単位期間Ｕの時間長τにわたり液晶素子ＣLの印加電圧が同極性に維持される。液晶素子ＣLに同極性の電圧を印加する期間が長いほど、階調電位Ｘ[n]の極性差に起因した表示階調の変動（すなわち「フリッカ」）が観察者に知覚され易い。したがって、第１実施形態のように単位期間Ｕの２個分にわたる長い周期において階調電位Ｘ[n]の極性が同極性に維持される構成では、フリッカが観察者に知覚され易いという問題が生じる。
これに対して、変形例９に係る電気光学装置１０では、図１４における時間長τ2を、図３における時間長τの半分にすることができるため、フリッカの発生を抑制することが可能となる。
なお、変形例９に係る電気光学装置１０は、４画素に対して同時に階調電位Ｘを供給することができるため、表示制御回路１４２および駆動回路４０の動作速度を、表示期間Ｐを周期として表示画像を更新する構成と同等に維持できるという利点もある。すなわち、本変形例では、平面視画像に使用される駆動回路と同等の動作速度の駆動回路で立体視表示を実現できる（すなわち、駆動回路の回路規模や製造コストを低減できる）という利点を有するとともに、フリッカの発生を抑制できるという利点も有する。
【００９７】
（１０）変形例１０
電気光学素子は液晶素子ＣLに限定されない。例えば、電気泳動素子を電気光学素子として利用することも可能である。すなわち、電位光学素子は、電気的な作用（例えば電圧の印加）に応じて光学的な特性（例えば透過率）が変化する表示素子として包括される。
【００９８】
（１１）変形例１１
上述した実施形態および変形例では、ブロックＢLに属する画素ＰIXを縦２行×横２行の４画素を単位として、走査線駆動回路４２が選択する第１組と第２組は、走査線３２の１本分だけｙ方向にずれた関係にある例を説明したが、ブロックBLに属する画素ＰIXを縦３行×横３行の９画素を単位として、走査線駆動回路４２が選択する第１組と第２組は、走査線３２の１本分あるいは２本分だけｙ方向にずれた関係とすることも可能である。また、ブロックBLに属する画素ＰIXを縦４行×横４行の１６画素を単位として、走査線駆動回路４２が選択する第１組と第２組は、走査線３２の１本分乃至３本分のいずれか分だけｙ方向にずれた関係とすることも可能である。また、ブロックＢLに属する画素ＰIXを縦２行×横３行の６画素や、縦３行×横４行の１２画素を単位とすることもできる。
【００９９】
（１２）変形例１２
上述した実施形態および変形例では、選択回路ＳＥＬ1〜ＳＥＬkの各々は５本の信号線３４と接続されたが、本発明はこれに限定されるものではなくＪ（Ｊは３以上の自然数）であってもよい。
また、信号線駆動回路４４は電気光学装置１２に設けられていたが、本発明はこれに限定されるものではなく、その一部又は全部を電気光学装置１２（液晶パネル）の外部に設けてもよい。より具体的には、選択回路ＳＥＬ0〜ＳＥＬk+1を電気光学装置１０に設け、信号供給回路４５を外部に設けてもよい。この場合は、信号線駆動回路４４を外部に設ける場合と比較して、接続端子の数を低減できる。この結果、画素ピッチを狭くしても、接続端子の間隔を広くすることができるので、接続端子間の短絡を防止し、電気光学装置１０の信頼性を向上することができる。
さらに、上述した実施形態及び変形例では、階調電位を供給信号線３４に供給する前にプリチャージ電位Ｖpreを供給したが本発明はこれに限定されるものではなく。プリチャージ電位Ｖpreを供給しなくてもよい。
【０１００】
＜応用例＞
以上の各形態に例示した電気光学装置１０は、各種の電子機器に利用され得る。図１７から図１９には、電気光学装置１０を採用した電子機器の具体的な形態が例示されている。
【０１０１】
図１７は、電気光学装置１０を適用した投射型表示装置（３板式のプロジェクター）４０００の模式図である。投射型表示装置４０００は、相異なる表示色（赤色，緑色，青色）に対応する３個の電気光学装置１０（１０R，１０G，１０B）を含んで構成される。照明光学系４００１は、照明装置（光源）４００２からの出射光のうち赤色成分ｒを電気光学装置１０Rに供給し、緑色成分ｇを電気光学装置１０Gに供給し、青色成分ｂを電気光学装置１０Bに供給する。各電気光学装置１０は、照明光学系４００１から供給される各単色光を表示画像に応じて変調する光変調器（ライトバルブ）として機能する。投射光学系４００３は、各電気光学装置１０からの出射光を合成して投射面４００４に投射する。観察者は、投射面４００４に投射された立体視画像を立体視用眼鏡２０（図１９では図示略）で視認する。
【０１０２】
図１８は、電気光学装置１０を採用した可搬型のパーソナルコンピューターの斜視図である。パーソナルコンピューター２０００は、各種の画像を表示する電気光学装置１０と、電源スイッチ２００１やキーボード２００２が設置された本体部２０１０とを具備する。
【０１０３】
図１９は、電気光学装置１０を適用した携帯電話機の斜視図である。携帯電話機３０００は、複数の操作ボタン３００１およびスクロールボタン３００２と、各種の画像を表示する電気光学装置１０とを備える。スクロールボタン３００２を操作することによって、電気光学装置１０に表示される画面がスクロールされる。
【０１０４】
なお、本発明に係る電気光学装置が適用される電子機器としては、図１７から図１９に例示した機器のほか、携帯情報端末（ＰＤＡ：Personal Digital Assistants），デジタルスチルカメラ，テレビ，ビデオカメラ，カーナビゲーション装置，車載用の表示器（インパネ），電子手帳，電子ペーパー，電卓，ワードプロセッサ，ワークステーション，テレビ電話，ＰＯＳ端末，プリンター，スキャナー，複写機，ビデオプレーヤー，タッチパネルを備えた機器等などが挙げられる。
【符号の説明】
【０１０５】
１００…立体視表示装置、１０…電気光学装置、１２…電気光学パネル、１４…制御回路、１４２…表示制御回路、１４４…眼鏡制御回路、２０…立体視用眼鏡、２２…右眼用シャッター、２４…左眼用シャッター、３０…画素部、ＰIX…画素、ＣL…液晶素子、３２…走査線、３４…信号線、４０…駆動回路、４２…走査線駆動回路、４４…信号線駆動回路、４５…信号供給回路、ＳＥＬ0〜ＳＥＬｋ+1…選択回路。
【図１】
0005842632.tif 000002
【図２】
0005842632.tif 000003
【図３】
0005842632.tif 000004
【図４】
0005842632.tif 000005
【図５】
0005842632.tif 000006
【図６】
0005842632.tif 000007
【図７】
0005842632.tif 000008
【図８】
0005842632.tif 000009
【図９】
0005842632.tif 000010
【図１０】
0005842632.tif 000011
【図１１】
0005842632.tif 000012
【図１２】
0005842632.tif 000013
【図１３】
0005842632.tif 000014
【図１４】
0005842632.tif 000015
【図１５】
0005842632.tif 000016
【図１６】
0005842632.tif 000017
【図１７】
0005842632.tif 000018
【図１８】
0005842632.tif 000019
【図１９】
0005842632.tif 000020
【図２０】
0005842632.tif 000021